(57)【要約】      （修正有）【課題】基地局とＵＥｓの送信タイミングを適切に調整するワイアレス通信装置を提供する。【解決手段】ワイアレスネットワークにおいて基地局とユーザ装置（ＵＥ）の送信タイミングを調整する技術が記載されている。１つの動作シナリオでは、フェムト基地局はフェムトＵＥと通信し、マクロ基地局はフェムト基地局のサービスエリア内に位置するマクロＵＥと通信する。一態様では、フェムト基地局の送信タイミングは、例えば、フェムトＵＥ及びマクロＵＥでフェムト及びマクロ基地局からダウンリンク信号を時間整合するために、マクロ基地局の送信タイミングに対して遅延される。別の態様では、例えば、フェムト基地局でフェムトＵＥ及びマクロＵＥからアップリンク信号を整列配置するために、フェムトＵＥとフェムト基地局間の伝播遅延の２倍より大きい量だけフェムト基地局の送信タイミングに対して進められる。【選択図】図５
2014039284.tif 000002
【特許請求の範囲】
【請求項１】
第１の基地局の存在を第２の基地局によって検出すること；前記第１の基地局の送信タイミングに対して前記第２の基地局の送信タイミングを遅延すること、
を含む、ワイアレス通信装置。
【請求項２】
前記第１の基地局はマクロ基地局であり、前記第２の基地局はフェムト基地局である、請求項１の方法。
【請求項３】
前記第１及び第２の基地局のサービスエリア内に位置するユーザ装置を識別することを更に含み、前記第２の基地局の前記送信タイミングが前記ＵＥで前記第１及び第２の基地局からのダウンリンクを時間調整するため前記第１の基地局の前記送信タイミングに対して遅延される、請求項１の方法。
【請求項４】
前記第２の基地局の前記第２の送信タイミングを遅延することは前記第２の基地局で前記第１の基地局からダウンリンク送信信号を受信すること、前記第２の基地局で前記第１の基地局からの前記ダウンリンク送信信号の受信時間に基づいて前記第２の基地局の前記送信タイミングを決定することを含む、請求項１の方法。
【請求項５】
前記第２の基地局の前記送信タイミングを遅延することは、前記第２の基地局でユーザ装置（ＵＥ）からアップリンク送信信号を受信すること、
前記ＵＥは、前記第１の基地局と通信し、前記ＵＥの送信タイミングは前記第１の基地局の前記送信タイミングに対して進められ、
前記第２の基地局の送信タイミングを決定することは第２の基地局で前記ＵＥからの前記アップリンク送信信号の受信時間に基づく、請求項１の方法。
【請求項６】
前記第２の基地局の前記送信タイミングを遅延することは前記第１と第２の基地局間の伝播遅延を決定すること、及び前記伝播遅延に基づいて前記第２の基地局の前記送信タイミングに対する遅延の量を決定することを含む、請求項１の方法。
【請求項７】
前記第２の基地局の前記送信タイミングを遅延することは更に前記第１の基地局の前記送信タイミングに使用される参照時間を決定すること、前記参照時間から前記決定された遅延の量だけ前記第２の基地局の前記送信タイミングを遅延することを含む、請求項６の方法。
【請求項８】
前記伝播遅延を決定することは前記第１の基地局の位置及び前記第２の基地局の位置に基づいて前記第１と第２の基地局間の前記伝播遅延を決定することを含む、請求項６の方法。
【請求項９】
前記伝播遅延を決定することは前記第１と第２の基地局間の測距に基づいて前記第１と第２の基地局間の前記伝播遅延を決定することを含む、請求項６の方法。
【請求項１０】
前記伝播遅延を決定することはユーザ装置（ＵＥ）と前記第１の基地局間の測距に基づいて前記第１と第２の基地局間の前記伝播遅延を決定することを含む、請求項６の方法。
【請求項１１】
第１の基地局の存在を第２の基地局によって検出する手段と、
前記第１の基地局の送信タイミングに対して前記第２の基地局の送信タイミングを遅延する手段と、
を具備する、ワイアレス通信装置。
【請求項１２】
前記第１及び第２の基地局のサービスエリア内に位置するユーザ装置を識別する手段を更に含み、前記第２の基地局の前記送信タイミングが前記ＵＥで前記第１及び第２の基地局からのダウンリンクを時間調整するため前記第１の基地局の前記送信タイミングに対して遅延される、請求項１１の装置。
【請求項１３】
前記第２の基地局の前記第２の送信タイミングを遅延する手段は前記第２の基地局で前記第１の基地局からダウンリンク送信信号を受信する手段と、前記第２の基地局で前記第１の基地局からの前記ダウンリンク送信信号の受信時間に基づいて前記第２の基地局の前記送信タイミングを決定する手段とを含む、請求項１１の装置。
【請求項１４】
前記第２の基地局の前記送信タイミングを遅延する手段は前記第１と第２の基地局間の伝播遅延を決定する手段及び前記伝播遅延に基づいて前記第２の基地局の前記送信タイミングに対する遅延の量を決定する手段を含む、請求項１１の装置。
【請求項１５】
前記第２の基地局の前記送信タイミングを遅延する手段は更に前記第１の基地局の前記送信タイミングに使用される参照時間を決定する手段と、前記参照時間から前記決定された遅延の量だけ前記第２の基地局の前記送信タイミングを遅延する手段とを含む、請求項１４の装置。
【請求項１６】
第１の基地局の存在を第２の基地局によって検出し、前記第１の基地局の送信タイミングに対して前記第２の基地局の送信タイミングを遅延するように構成される少なくとも１つのプロセッサを具備する、ワイアレス通信装置。
【請求項１７】
少なくとも１つのコンピュータに第１の基地局の存在を第２の基地局によって検出させるコードと、前記少なくとも１つのコンピュータに前記第１の基地局の送信タイミングに対して前記第２の基地局の送信タイミングを遅延させるコードを含む、コンピュータ可読媒体を具備するコンピュータプログラム製品。
【請求項１８】
第１の基地局のサービスエリア内に位置する第１のユーザ装置（ＵＥ）を識別すること、
前記第１のＵＥと前記第１の基地局間の伝播遅延の２倍より大きい量だけ前記第１の基地局の送信タイミングに対して前記ＵＥの送信タイミングを進めること、
を含む、ワイアレス通信方法。
【請求項１９】
前記第１のＵＥの前記送信タイミングを進めることは前記第１の基地局で前記第１のＵＥ及び第２のＵＥからのアップリンク信号を時間調整するために前記第１のＵＥの前記送信タイミングを進めることを含み、前記第２のＵＥは第２の基地局と通信する、請求項１８の方法。
【請求項２０】
前記第１の基地局はフェムト基地局であり、前記第２の基地局はマクロ基地局であり、前記第１のＵＥは前記フェムト基地局と通信する、請求項１９の方法。
【請求項２１】
第１のＵＥの前記送信タイミングを進めることは、前記第２の基地局と前記第１のＵＥ又は前記第２のＵＥ若しくは前記第１の基地局との間の第２の伝播遅延を決定すること、及び前記第２の伝播遅延に基づいて前記第１のＵＥの前記送信タイミングに対する進み量を決定することを含む、請求項１９の方法。
【請求項２２】
前記第１のＵＥの前記送信タイミングを進めることは、前記第１の基地局で前記第２のＵＥからアップリンク送信信号を受信すること、前記第１の基地局で前記第２のＵＥからの前記アップリンク送信信号の受信時間に基づいて前記第１のＵＥの前記送信タイミングを決定することを含む、請求項１９の方法。
【請求項２３】
前記第１のＵＥの前記送信タイミングを進めることは、前記第１の基地局で前記第１及び第２のＵＥからの前記アップリンク信号を時間整合するために前記第１のＵＥに対するタイミング調整を決定すること、前記第１のＵＥに前記タイミング調整を送信することを含む、請求項１９の方法。
【請求項２４】
前記第１のＵＥを識別することは前記第１の基地局で前記第１のＵＥからランダムアクセスプローブを受信することを含み、前記タイミング調整が、前記ランダムアクセスプローブに応答して決定され、前記第１のＵＥに送信される、請求項２３の方法。
【請求項２５】
前記第１の基地局の前記送信タイミングを第２の基地局の送信タイミングに対して遅延すること、を更に含む、請求項１８の方法。
【請求項２６】
前記第１の基地局の前記送信タイミングは特定量だけ遅延され、前記第１のＵＥの前記送信タイミングは前記第２の基地局の前記送信タイミングに対して前記特定量だけ進められる、請求項２５の方法。
【請求項２７】
少なくとも前記第１の基地局の前記送信タイミングと前記第１のＵＥの前記送信タイミングとの差のガードインターバルを決定すること、前記第１の基地局からのダウンリンク送信信号に続いている前記第１のＵＥからのアップリンク送信信号のためのガードインターバルを使用すること、を更に含む、請求項１８の方法。
【請求項２８】
前記ガードインターバルは第２の基地局のセルサイズに基づいて決定される値に設定される、請求項２７の方法。
【請求項２９】
第１の基地局のサービスエリア内に位置する第１のユーザ装置（ＵＥ）を識別する手段と、前記第１のＵＥと前記第１の基地局間の伝播遅延の２倍より大きい量だけ前記第１の基地局の送信タイミングに対して前記第１のＵＥの送信タイミングを進める手段と、を含む、ワイアレス通信装置。
【請求項３０】
前記第１のＵＥの前記送信タイミングを進める手段は前記第１の基地局で前記第１のＵＥ及び第２のＵＥからのアップリンク信号を時間調整するために前記第１のＵＥの前記送信タイミングを進める手段を含み、前記第２のＵＥは第２の基地局と通信する、請求項２９の装置。
【請求項３１】
前記第１のＵＥの前記送信タイミングを進める手段は、前記第２の基地局と前記第１のＵＥ又は前記第２のＵＥ若しくは前記第１の基地局との間の第２の伝播遅延を決定する手段と、前記第２の伝播遅延に基づいて前記第１のＵＥの前記送信タイミングに対する進み量を決定する手段とを含む、請求項３０の方法。
【請求項３２】
前記第１のＵＥの前記送信タイミングを進める手段は、前記第１の基地局で前記第２のＵＥからアップリンク送信信号を受信する手段と、前記第１の基地局で前記第２のＵＥからの前記アップリンク送信信号の受信時間に基づいて前記第１のＵＥの前記送信タイミングを決定する手段とを含む、請求項３０の装置。
【請求項３３】
前記第１のＵＥの前記送信タイミングを進める手段は、前記第１の基地局で前記第１及び第２のＵＥｓからの前記アップリンク信号を時間整合するために前記第１のＵＥに対するタイミング調整を決定する手段と、前記第１のＵＥに前記タイミング調整を送信する手段とを含む、請求項３０の装置。
【請求項３４】
前記第２の基地局の送信タイミングに対して前記第１の基地局の送信タイミングを遅延する手段を更に含む、請求項３０の装置。
【請求項３５】
少なくとも前記第１の基地局の前記送信タイミングと前記第１のＵＥの前記送信タイミングとの差のガードインターバルを決定する手段と、前記第１の基地局からのダウンリンク送信信号に続いている前記第１のＵＥからのアップリンク送信信号のためのガードインターバルを使用する手段と、を更に含む、請求項２９の装置。
【請求項３６】
基地局のサービスエリア内に位置するユーザ装置（ＵＥ）を識別し、前記ＵＥと前記基地局間の伝播遅延の２倍より大きい量だけ基地局の送信タイミングに対して前記ＵＥの送信タイミングを進めるように構成される少なくとも１つのプロセッサを具備する、ワイアレス通信装置。
【請求項３７】
少なくとも１つのコンピュータに基地局のサービスエリア内に位置するユーザ装置（ＵＥ）を識別させるためのコードと、前記少なくとも１つのコンピュータに前記ＵＥと前記基地局との間の伝播遅延の２倍より大きい量だけ前記基地局の送信タイミングに対して前記ＵＥの送信タイミングを進めさせるためのコードを含む、コンピュータ可読媒体を具備する、コンピュータプログラム製品。
【請求項３８】
前記第１のＵＥと前記第１の基地局間の伝播遅延の２倍より大きい量だけ前記第１の基地局の送信タイミングに対して第１のユーザ装置（ＵＥ）の送信タイミングを進めるタイミング調整を受信すること、
前記第１のＵＥの前記送信タイミングに基づいて前記第１のＵＥから前記第１の基地局へアップリンク送信信号を送信すること、
を含む、ワイアレス通信方法。
【請求項３９】
前記第１のＵＥからランダムアクセスプローブを送ること、前記ランダムアクセスプローブに応答して前記第１の基地局から前記タイミング調整を受信すること、を更に含む請求項３８の方法。
【請求項４０】
前記第１のＵＥの前記送信タイミングは前記第１の基地局で前記第１のＵＥ及び第２のＵＥからのアップリンク信号を時間調整するために進められ、前記第１のＵＥは前記第１の基地局及び第２の基地局のサービスエリア内に位置され、前記第２のＵＥは前記第２の基地局と通信する、請求項３８の方法。
【請求項４１】
前記第２の基地局と前記第１のＵＥ間の第２の伝播遅延を決定するために前記第１のＵＥと前記第２の基地局との間の測距を実行することを更に含み、前記第１のＵＥの前記送信タイミングは前記第２の伝播遅延に基づいて決定される量だけ進められる、請求項４０の方法。
【請求項４２】
前記第１のＵＥと前記第１の基地局間の伝播遅延の２倍より大きい量だけ第１の基地局の送信タイミングに対して第１のユーザ装置（ＵＥ）の送信タイミングを進めるタイミング調整を受信する手段と、前記第１のＵＥの前記送信タイミングに基づいて、前記第１のＵＥから前記第１の基地局へアップリンク送信信号を送信する手段と、を具備する、ワイアレス通信装置。
【請求項４３】
前記第１のＵＥからランダムアクセスプローブを送る手段と、前記ランダムアクセス調査に応答して前記第１の基地局から前記タイミング調整を受信する手段と、を更に含む、請求項４２の装置。
【請求項４４】
前記第１のＵＥの前記送信タイミングは前記第１の基地局で前記第１のＵＥ及び第２のＵＥからのアップリンク信号を時間調整するために進められ、前記第１のＵＥは前記第１の基地局及び第２の基地局のサービスエリア内に位置され、前記第２のＵＥは第２の基地局と通信する、請求項４２の装置。
【請求項４５】
前記第２の基地局と前記第１のＵＥ間の第２の伝播遅延を決定するために前記第１のＵＥと前記第２の基地局との間の測距を実行する手段を更に含み、前記第１のＵＥの前記送信タイミングは前記第２の伝播遅延に基づいて決定される量だけ進められる、請求項４４の装置。
【請求項４６】
前記ＵＥと前記基地局間の伝播遅延の２倍より大きい量だけ基地局の送信タイミングに対してユーザ装置（ＵＥ）の送信タイミングを進めるタイミング調整を受信し、前記ＵＥの前記送信タイミングに基づいて前記ＵＥから前記基地局にアップリンク送信信号を送るように構成される少なくとも１つのプロセッサを具備する、ワイアレス通信装置。
【請求項４７】
少なくとも１つのコンピュータにＵＥと基地局の間の伝播遅延の２倍より大きい量だけ前記基地局の送信タイミングに対してユーザ装置（ＵＥ）の送信タイミングを進めるタイミング調整を受信させるためのコードと、前記少なくとも１つのコンピュータに前記ＵＥの前記送信タイミングに基づいて前記ＵＥから前記基地局へアップリンク送信信号を送らせるためのコードとを含むコンピュータ可読媒体を具備する、コンピュータプログラム製品。
【発明の詳細な説明】
【技術分野】
【０００１】
本開示は、一般的に通信に関し、特に、ワイアレス通信ネットワークにおいて通信をサポートする技術に関する。
【背景技術】
【０００２】
ワイアレス通信ネットワークは、種々の通信コンテンツ、例えば、音声、ビデオ、パケットデータ、メッセージ送信、放送、などを提供するために広く展開されている。これらのワイアレスネットワークは、利用可能なネットワーク資源を共有することによって多数のユーザをサポートできる多重アクセスネットワークであってもよい。そのような多重アクセスネットワークの実例は符号分割多重アクセス（ＣＤＭＡ）ネットワーク、時分割多重アクセス（ＴＤＭＡ）ネットワーク、周波数分割多重アクセス（ＦＤＭＡ）ネットワーク、直交ＦＤＭＡ（ＯＦＤＭＡ）ネットワーク化、及び単一キャリアＦＤＭＡ（ＳＣ−ＦＤＭＡ）ネットワークを含む。
【０００３】
ワイアレス通信ネットワークは、多くのユーザ装置（ＵＥｓ）に対して通信をサポートすることができる多くの基地局を含むことができる。ＵＥは、ダウンリンク及びアップリンクを介して基地局と通信することができる。ダウンリンク（即ち、順方向リンク）は基地局からＵＥまでの通信リンクを言い、アップリンク（即ち、逆方向リンク）はＵＥから基地局までの通信リンクを言う。ワイアレスネットワークは、ダウンリンク及びアップリンク上の同期動作をサポートすることができる。良い性能を達成するために基地局とＵＥｓの送信タイミングを適切に調整することが望ましいかもしれない。
【発明の概要】
【０００４】
本出願は２００９年３月２日に出願され、その譲渡人により譲渡され、参照によってここに組み込まれる“A METHOD AND APPARATUS FOR UPLINK AND DOWNLINK TIMING ADJUSTMENT FOR LOW POWER CELLS”と名称付けけられた米国仮出願番号６１／１５６，８１６に優先権を主張する。
【０００５】
ワイアレス通信において基地局とＵＥの通信タイミングを調整するための技術がここに説明される。１つの動作シナリオにおいて、フェムト基地局はフェムトＵＥと通信してもよく、両方ともマクロ基地局のサービスエリア内に位置してもよい。マクロＵＥは、マクロ基地局と通信してもよく、フェムト基地局のサービスエリア内に位置してもよい。異なるタイプの基地局及びＵＥｓは、後述する。フェムトＵＥ及びマクロＵＥは、それらの近接近により高い干渉を観察するかもしれない。高い干渉は、フェムト基地局及びフェムトＵＥのための適切な送信タイミングによって緩和されることができる。
【０００６】
態様において、フェムト基地局の送信タイミングは、マクロ基地局の送信タイミングと関連して遅れることがある。１つの設計において、フェムト基地局がマクロ基地局とマクロＵＥ又はフェムトＵＥ若しくはフェムト基地局との間の伝播遅延を決定してもよい。フェムト基地局は、伝播遅延に基づいてその送信タイミングのための遅延量を決定してもよい。フェムト基地局は、マクロ基地局の送信タイミングに使用される参照時間（例えばＧＰＳ時間）を決定してもよい。フェムト基地局は、その後、参照時間から決定された遅延量によってその送信タイミングを遅延されてもよい。以下のように、フェムト基地局は、また、他の方法でその送信タイミングを調整することができる。１つの設計では、フェムト基地局の送信タイミングは、フェムト及びマクロＵＥｓでフェムト及びマクロ基地局からのダウンリンク信号を時間整合するために調整されてもよい。
【０００７】
別の態様では、フェムトＵＥの送信タイミングはフェムトＵＥとフェムト基地局との間の伝播遅延の２倍より大きい量だけフェムト基地局の送信タイミングに対して進められてもよい。ある設計では、フェムト基地局がマクロ伝播遅延を決定してもよい。この伝搬遅延はマクロ基地局とマクロＵＥ、又はフェムトＵＥ若しくはフェムト基地局との間の伝播遅延であってもよい。フェムト基地局は、マクロ伝播遅延に基づいてフェムトＵＥの送信タイミングのための進み量を決定してもよい。フェムト基地局は、その後、参照時間から決定された進み量だけフェムトＵＥの送信タイミング進めてもよい。フェムトＵＥの送信タイミングは、フェムト基地局の送信タイミングに対してマクロ伝播遅延の２倍だけ進められてもよい。下記のように、フェムトＵＥの送信タイミングは、また、他の方法で調整されてもよい。ある設計では、フェムトＵＥの送信タイミングは、フェムト基地局でフェムトＵＥとマクロＵＥからアップリンク信号を時間整合するために調整されてもよい。
【０００８】
ここに記載されている技術は、他のタイプの基地局及びＵＥｓに使用することができる。開示の種々態様及び特徴は、以下に更に詳しく説明される。
【図面の簡単な説明】
【０００９】
【図１】ワイアレス通信ネットワークを示す。
【図２】典型的なフレーム構造を示す。
【図３】２つの基地局及び２つのＵＥｓを有するオペレーションシナリオを示す。
【図４】図３における基地局及びＵＥｓからのダウンリンク及びアップリンク送信のタイミング図を示す。
【図５】フェムト基地局及びフェムトＵＥのためのタイミング図を示す。
【図６】基地局の送信タイミングを調整するための処理を示す。
【図７】基地局の送信タイミングを調整するための処理を示す。
【図８】基地局の送信タイミングを調整する装置を示す。
【図９】ＵＥの送信タイミングを調整するための処理を示す。
【図１０】ＵＥの送信タイミングを調整するための処理を示す。
【図１１】ＵＥの送信タイミングを調整する装置を示す。
【図１２】ＵＥによって通信のための処理を示す。
【図１３】ＵＥによって通信のための装置を示す。
【図１４】基地局及びＵＥのブロック図を示す。
【発明を実施するための形態】
【００１０】
ここに記載されている技術は、ＣＤＭＡ、ＴＤＭＡ、ＦＤＭＡ、ＯＦＤＭＡ、ＳＣ−ＦＤＭＡ及び他のネットワークのような種々のワイアレス通信ネットワークに使用することができる。用語「ネットワーク」及び「システム」は、しばしば交換して使用できる。ＣＤＭＡネットワークは、ユニバーサルテレストリアル無線アクセス（ＵＴＲＡ）、ｃｄｍａ２０００、などのような無線技術を実施することができる。ＵＴＲＡは、広帯域ＣＤＭＡ（ＷＣＤＭＡ（登録商標））及び他の改良型ＣＤＭＡを含む。ｃｄｍａ２０００は、ＩＳ−２０００、ＩＳ−９５及びＩＳ−８５６標準に及ぶ。ＴＤＭＡネットワークは、グローバルシステムフォーモバイルコミュニケーションズ（ＧＳＭ（登録商標））のような無線技術を実施することができる。ＯＦＤＭＡネットワークは、進展ＵＴＲＡ（Ｅ  ＵＴＲＡ）、ウルトラモバイルブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ、などのような無線技術を実施することができる。ＵＴＲＡ及びＥ  ＵＴＲＡは、ユニバーサルモバイルテレコミュニケーションシステム（ＵＭＴＳ）の一部分である。３ＧＰＰロングタームエボリューション（ＬＴＥ）及びＬＴＥ−高度（ＬＴＥ−Ａ）は、Ｅ  ＵＴＲＡを使用するＵＭＴＳの新製品である。ＵＴＲＡ、Ｅ  ＵＴＲＡ、ＵＭＴＳ、ＬＴＥ、ＬＴＥ−Ａ及びＧＳＭは、「第３世代提携プロジェクト」（３ＧＰＰ）と名称でけられた組織からの文献に記載されている。ｃｄｍａ２０００及びＵＭＢは、「第３世代提携プロジェクト２」（３ＧＰＰ２）と名称付けられた組織からの文献に記載されている。ここに記載されている技術は、ワイアレスネットワーク及び上述した無線技術並びに他のワイアレスネットワーク及び無線技術に使用することができる。明確にするため、技術の特定の態様はＬＴＥについて以下に説明され、ＬＴＥの用語は下記の説明の多くに使用される。
【００１１】
図１はワイアレス通信ネットワーク１００を示す。これはＬＴＥネットワーク又は他のいくつかのワイアレスネットワークであってもよい。ワイアレスネットワーク１００は、多数の発展ノードＢｓ（ｅＮＢｓ）１１０、１１２及び１１４及びその他がネットワークエンティティを含むことができる。ｅＮＢは、ＵＥｓと通信する基地局であってもよく、基地局、ノードＢ、アクセスポイント、などと呼ぶこともできる。各ｅＮＢは、特定の地理的領域に対して通信サービスエリアを提供することができる。３ＧＰＰでは、用語「セル」は、ｅＮＢのサービスエリア及び／又は、用語が使用されるコンテキストに応じて、このサービスエリアに貢献しているｅＮＢサブシステムを参照することができる。
【００１２】
ｅＮＢは、マクロセル、ピコセル、フェムトセル及び／又は他の種類のセルに対して通信サービスエリアを提供することができる。マクロセルは、比較的大きい地理的領域（例えば、半径の数キロメートル）をカバーすることができ、サービス予約によってＵＥｓによる無制限のアクセスを可能にすることができる。ピコセルは、比較的小さい地理的領域をカバーすることができ、サービス予約によってＵＥｓによる無制限のアクセスを可能にすることができる。フェムトセルは、比較的小さい地理的領域（例えばホーム）をカバーすることができ、フェムトセル（例えば閉加入者グループ（ＣＳＧ）のＵＥｓ）と関連性を有するＵＥｓによる制限されたアクセスを可能にすることができる。マクロセルのためのｅＮＢは、マクロｅＮＢと称してもよい。ピコセルのためのｅＮＢは、１ピコｅＮＢと称してもよい。フェムトセルのためのｅＮＢは、フェムトｅＮＢ又はホームｅＮＢ（ＨｅＮＢ）と称してもよい。図１に示される実施例において、ｅＮＢ１１０がマクロセル１３０のためのマクロｅＮＢであってもよく、ｅＮＢ１１２はフェムトセル１３２のためのフェムトｅＮＢであってもよく、ｅＮＢ１１４はピコセル１３４のためのピコｅＮＢであってもよい。ｅＮＢは、１つ以上（例えば３）セルをサポートしてもよい。
【００１３】
ワイアレスネットワーク１００は、中継局を含めてもよい。中継局は、アップストリーム局（例えば、ｅＮＢ又はＵＥ）からのデータの送信を受信し、ダウンストリーム局（例えば、ＵＥ又はｅＮＢ）にデータの送信信号を送る局である。中継局は、他のＵＥｓのための送信を中継するＵＥであってもよい。図１に示される実施例において、中継局１１６はｅＮＢ１１０とＵＥ１２６間の通信を容易にするためにマクロｅＮＢ１１０及びＵＥ１２６と通信することができる。中継局は、中継ｅＮＢ、中継基地局、中継器、などとも呼ばれる。
【００１４】
ワイアレスネットワーク１００は、異なるタイプのｅＮＢｓ、例えば、マクロｅＮＢｓ、ピコｅＮＢｓ、フェムトｅＮＢｓ、中継器、などを含む異機種ネットワークであってもよい。これらの異なるタイプのｅＮＢｓは、異なる送信電力レベル、異なるサービスエリア及びワイアレスネットワーク１００の干渉に関する異なる影響を有するかもしれない。例えば、ピコｅＮＢｓは高送信電力レベル（例えば、２０ワット）を有してもよいが、ピコｅＮＢｓ、フェムトｅＮＢ及び中継器が低送信電力レベル（例えば２ワット）を有してもよい。
【００１５】
ネットワーク１４０が一組のｅＮＢｓに結合されてもよく、これらのｅＮＢｓのための調整及び制御に提供することができる。ネットワークコントローラ１４０は、帰路（backhaul）を介してｅＮＢｓと通信することができる。ｅＮＢｓは、例えば、無線又は有線帰路を介して直接又は間接的に互いに通信することができる。
【００１６】
ＵＥｓ１２０乃至１２８はワイアレスネットワーク１００の全体にわたって分散されてもよく、各ＵＥは静止型又は移動型であってもよい。ＵＥは、端末、移動局、加入者装置、局、などとも呼ぶことができる。ＵＥは、携帯電話、パーソナル携帯情報機器（ＰＤＡ）、ワイアレスモデム、ワイアレス通信装置、携帯装置、ラップトップコンピュータ、コードレス電話、ワイアレスローカルループ（ＷＬＬ）局、などであってもよい。ＵＥは、マクロｅＮＢｓ、ピコｅＮＢｓ、フェムトｅＮＢｓ、中継器、などと通信することができる。図１には、二重矢印の実線はＵＥとサービスｅＮＢ間の通信を示し、サービスｅＮＢはダウンリンク及び／又はアップリンク上でＵＥにサービスするように設計されたｅＮＢである。マクロｅＮＢによってサービスされるＵＥは、マクロＵＥ（ＭＵＥ）と呼ばれる。フェムトｅＮＢによってサービスされるＵＥは、フェムトＵＥ又はホームＵＥ（ＨＵＥ）と呼ばれる。
【００１７】
ＬＴＥは、ダウンリンク上で直角周波数分割多重（ＯＦＤＭ）を、アップリンク上で単搬送周波数分割多重化（ＳＣ−ＦＤＭ）を利用する。ＯＦＤＭ及びＳＣ−ＦＤＭは周波数範囲を多数の（ＮＦＦＴ）直交副搬送波に区分けし、これらは一般にトーン、ビン、などとも呼ばれる。各副搬送波は、データによって変調されてもよい。一般に、変調シンボルは、ＯＦＤＭによって周波数領域にて、ＳＣ−ＦＤＭによって時間領域にて送信される。隣接副搬送波間の間隔は固定されてもよく、副搬送波（ＮＦＦＴ）の総数はシステム帯域幅に依存してもよい。例えば、ＮＦＦＴは１．２５、２．５、５、１０又は２０メガヘルツ（ＭＨｚ）のシステム帯域幅のための１２８、２５６、５１２、１０２４又は２０４８にそれぞれ等しくてもよい。
【００１８】
ワイアレスネットワークは、周波数分割二重（ＦＤＤ）又は時分割二重（ＴＤＤ）を利用することができる。ＦＤＤについては、ダウンリンク及びアップリンクは分離周波数チャネルを割当てられ、送信信号は分離周波数チャネルを介してダウンリンク及びアップリンク上に同時に送られてもよい。ＴＤＤについては、ダウンリンク及びアップリンクは同じ周波数チャネルを共有してもよく、これはその時間のいくらかをダウンリンクに使用されてもよく、他の時間のいくらかをダウンリンクに使用されてもよい。
【００１９】
図２は、ＬＴＥにおいて使用される典型的なＴＤＤフレーム構造２００を示す。送信スケジュールは、無線フレームの単位で区切られてもよい。各無線フレームは、所定の期間、例えば、１０ミリ秒（ｍｓ）を有してもよく、２つの半フレームに区切られてもよい。各無線フレームは、０乃至９のインデックスを有する１０個のサブフレームに区分けされてもよい。データ送信のために有効な各サブフレームは、２つのスロットに区分けされてもよい。各スロットは、拡張周期的プレフィックスのための６つのシンボル期間又は通常の周期的プレフィックスのための７つのシンボル期間を含んでもよい。１つのＯＦＤＭＡシンボル又は１つのＳＣ−ＦＤＭＡシンボルは、各シンボル期間に送信されてもよい。
【００２０】
多くのダウンリンク−アップリンク構成は、ＴＤＤのためのＬＴＥによってサポートされる。各ダウンリンク−アップリンク構成は、各サブフレームがダウンリンクに使用されるダウンリンク（ＤＬ）サブフレーム、又はアップリンクに使用されるアップリンク（ＵＬ）サブフレーム若しくは特定のサブフレームであるかどうかを示す。サブフレーム０及び５がダウンリンクのために使われ、サブフレーム２が全てのダウンリンク−アップリンク構成のためのアップリンクのために使われる。サブフレーム３、４、７、８及び９は、ダウンリンク−アップリンク構成に応じて、ダウンリンク又はアップリンクのために各々使用されてもよい。サブフレーム１は、ダウンリンクパイロットタイムスロット（ＤｗＰＴＳ）、ガード期間（ＧＰ）及びアップリンクパイロットタイムスロット（ＵｐＰＴＳ）にための３つの特定のフィールドを有する特定のサブフレームである。サブフレーム６は、ダウンリンク−アップリンク構成に応じて、ＤｗＰＴＳだけ又は３つの特定のフィールドの全てを有する特定のサブフレーム又は（ｉｉ）ダウンリンクサブフレームであってもよい。ＤｗＰＴＳ、ＧＰ及びＤｗＰＴＳフィールドは、異なる特定のサブフレーム構成のための異なる期間を有してもよい。
【００２１】
ワイアレスネットワークは同期動作をサポートすることができ、これはダウンリンク及びアップリンクが互いに干渉しないように及びダウンリンクとアップリンクの両方の性能を劣化しないようにＴＤＤに必要とされるかもしれない。１つの設計において、同期は次の条件を満足することによって達成することができる：
１．所定のＵＥ（例えば、マクロＵＥ又はフェムトＵＥ）は、（例えば、周期的プレフィックス内で）同時に全ての関連するｅＮＢｓからダウンリンク信号を受信する、
２．所定のｅＮＢは、（例えば、周期的プレフィックス内で）同時に、全ての関連するＵＥｓからアップリンク信号を受信する、
３．エンティティ（例えば、ｅＮＢ又はＵＥ）は、同時に送受信する必要はない、
４．近接して設けられた、他のＵＥが受信している同じ時間に、周波数チャネルに送信するＵＥは無い。
【００２２】
ダウンリンク信号は、ダウンリンク上にｅＮＢ／基地局によって送信される信号である。ダウンリンク信号は、データ及び／又は他の情報のダウンリンク送信信号を伝えることができる。アップリンク信号は、アップリンク上にＵＥによって送信される信号である。アップリンク信号は、データ及び／又は他の情報のアップリンク送信信号を伝えることができる。条件１及び２は、ＴＤＤ、ＦＤＤ及び調整マルチポイント（ＣｏＭＰ）送信に適用できる。ＣｏＭＰは、多数のセルから一つ以上のＵＥｓへの調整送信を参照する。条件３及び４はＴＤＤに適用できる。
【００２３】
条件１を満たす１つの方式において、ワイアレスネットワークの全てのｅＮＢｓは共通参照時間に整合する時間となるようにそれらの送信タイミングを調整することができる。共通参照時間は全地球測位衛星（ＧＰＳ）時間又はいつか他のタイムソースであってもよい。例えば、各ｅＮＢは、そのＧＰＳ受信機に基づいてＧＰＳ時間を決定してもよく、その送信タイミングをＧＰＳ時間に設定してもよい。フェムトｅＮＢはまた、マクロｅＮＢからダウンリンク送信信号の受信時間を測定してもよく、ダウンリンク送信信号の伝播遅延を推定してもよく、その送信タイミングを伝播遅延によって測定受信時間に対して進めてもよい。ｅＮＢｓは、また、他の方法でそれらの送信タイミングを調整してもよい。いずれにせよ、全てのｅＮＢｓは、それらの調整された送信タイミングにより時間的に調整されるダウンリンク信号を送信してもよい。この方式は、１つのタイプだけのＮＢｓ、例えばマクロｅＮＢｓだけによって同種のネットワークに良い性能を提供することができる。この方式は、下記のように異なるタイプのｅＮＢｓ、例えば、マクロｅＮＢｓ及びフェムトｅＮＢｓによって異種ネットワークにおいて最適性能を提供することができる。
【００２４】
条件２を満たす１つの方式では、ワイアレスネットワークの全てのＵＥｓはＵＥｓからのアップリンク信号がサービスｅＮＢｓで調整される時間となるようにそれらのサービスｅＮＢｓによって調整されたそれらのタイミングを持つことができる。この方式は、同種のネットワークにおいて良好なパフォーマンスを提供することができるが、下記のように、異種ネットワークにおいて最適性能を提供することができる。
【００２５】
ｅＮＢｓ及びＵＥｓの送信タイミングを調整するための上述した方式は、いくつかの理由のために異種ネットワークにおいて良好な性能を提供することができない。第１に、マクロｅＮＢｓ及びフェムト／ピコｅＮＢｓは通常はかなり異なるセルサイズ（即ち、異なるサイズのサービスエリア）を有する。これはマクロ及びフェムト／ピコセルにおいて非常に異なる伝播遅延をもたらすことになるであろう。第２に、マクロｅＮＢｓ及びフェムト／ピコｅＮＢｓは通常はかなり異なる送信電力レベルを有する。これは、下記のように、特定の動作シナリオにおいて高い干渉をもたらすことになるかもしれない。
【００２６】
図３は、２つのｅＮＢｓ及び２つのＵＥｓを有する典型的な動作シナリオを示す。このシナリオでは、マクロｅＮＢ１１０はダウンリンク及びアップリンク上でマクロＵＥ１２０と通信することができ、フェムトｅＮＢ１１２はダウンリンク及びアップリンク上でフェムトＵＥ１２２と通信することができる。マクロＵＥ１２０は、マクロｅＮＢ１１０から遠く離れ、フェムトｅＮＢ１１２の近くに位置してもよい。マクロＵＥ１２０は、制限された関連性のためにフェムトｅＮＢ１１２をアクセスすることができないかもしれない。
【００２７】
ＵＥｓ１２０及び１２２は、図３に示される実施例では支配的干渉シナリオで動作することができる。ダウンリンク上では、マクロＵＥ１２０は、フェムトｅＮＢ１１２に近接近しているためにフェムトｅＮＢ１１２から高い干渉を観察するかもしれない。アップリンク上では、マクロＵＥ１２０は、マクロｅＮＢ１１０に到達するために高電力レベルで送信する必要が有るかも知れず、そのときフェムトｅＮＢ１１２に高い干渉を引き起こすかもしれない。ダウンリンク上では、フェムトＵＥ１２２は、マクロｅＮＢ１１０のより高い送信電力レベルのために、マクロｅＮＢ１１０から高い干渉を観察するかもしれない。ダウンリンク及びアップリンク上の高い干渉は、ＵＥｓ１２０及び１２２の性能を低下するかもしれない。
【００２８】
高い干渉を軽減するために、異なる時間及び／又は周波数資源が、ＵＥｓ１２０及び１２２のために予約することができる。各ＵＥはその後その予約の資源を使用して通信できる。これらの資源は他のＵＥによる干渉を取り除くことを可能にする。しかし、予約資源が期待通りに干渉を軽減するためにＵＥｓ１２０及び１２２及びフェムトｅＮＢ１１２に対して同期が達成されなければならない。１つの理由は、これらの信号が周期的プレフィックス内で受信されれば、ＯＦＤＭＡ又はＳＣ−ＦＤＭＡによって送信される異なる信号の副搬送波間の直交性が維持されることができるという理由である。条件２が満たされなく、フェムトｅＮＢ１１２が周期的プレフィックス内でＵＥｓ１２０及び１２２からアップリンク信号を受信しなければ、そのとき、ＵＥｓ１２０及び１２２からのアップリンク信号の副搬送波間の直交性は維持されないであろう。この場合、両方のＵＥｓが異なる資源で送信する場合であっても、ＵＥ１２０はアップリンク上でＵＥ１２２に干渉を引き起こすことになるかもしれない。同様に、条件１が満たされなく、フェムトＵＥ１２２が周期的プレフィックス内でｅＮＢｓ１１０及び１１２からダウンリンク信号を受信しなければ、そのときｅＮＢｓ１１０及び１１２からのダウンリンク信号の副搬送波間の直交性は維持されないであろう。この場合、ｅＮＢｓ１１０及び１１２がＵＥｓ１２０及び１２２にそれぞれ異なる資源で送信する場合であっても、マクロｅＮＢ１１０はダウンリンク上でフェムトＵＥ１２２に高い干渉を引き起こすことがあるかもしれない。
【００２９】
一態様では、フェムトｅＮＢ１１２の送信タイミングは、フェムトＵＥ１２２及びマクロＵＥ１２０の条件１を満たすためにマクロｅＮＢ１１０の送信タイミングと関連して遅延されてもよい。このタイミング調整は全てのｅＮＢｓの送信タイミングが、例えば、ＧＰＳ時間又はいつかほかのタイムソースに調整される上記を記載されている方式とは大きく異なっている。このタイミング調整は、フェムトＵＥ１２２にダウンリンク送信の性能を向上させることができる。
【００３０】
別の態様では、フェムトＵＥ１２２の送信タイミングは、フェムトｅＮＢ１１２の条件２を満たすためにフェムトｅＮＢ１１２の送信タイミングに対して向上されるかもしれない。このタイミング調整は、ＵＥｓの送信タイミングが、サービスｅＮＢｓでアップリンク信号に整合するように調整される上に記載されている方式とは大きく異なっている。このタイミング調整は、フェムトＵＥ１２２からアップリンク送信の性能を向上させることができる。
【００３１】
図４は、ｅＮＢｓ１１０及び１１２からのダウンリンク送信及び図３のＵＥｓ１２０及び１２２からのアップリンク送信のタイミング図を示す。マクロｅＮＢ１１０はＧＰＳ時間のような参照時間に調整することができるダウンリンク送信信号４１０を、時間０で送信することができる。マクロｅＮＢ１１０からのダウンリンク送信信号４１０はｅＮＢ１１０及びＵＥ１２０間の伝播遅延であるかもしれない時間ＴＤＩＳＴでマクロＵＥ１２０によって受信されてもよい。マクロＵＥ１２０は、マクロｅＮＢ１１０の送信タイミングに対して、ＴＤＩＳＴによって進められるその送信タイミングを有するかもしれない。この場合、マクロＵＥ１２０が時間−ＴＤＩＳＴでアップリンク送信信号４１２を送信すれば、そのときこのアップリンク送信信号は時間０でマクロｅＮＢ１１０によって受信されるであろう。それ故に、ダウンリンク及びアップリンク送信信号はマクロｅＮＢ１１０で時間調整されるように進められるかもしれない。
【００３２】
フェムトｅＮＢ１１２は、その送信タイミングをマクロｅＮＢ１１０の送信タイミングに整合でき、時間０にダウンリンク送信信号４１４を送ることができる。説明を簡単にするため、フェムトセルはマクロセルと比較して、非常に小さい半径を有すると仮定されてもよく、フェムトｅＮＢ１１２及びフェムトＵＥ１２２間の伝播遅延は極わずかであると仮定されてもよい。この場合、フェムトＵＥ１２２は、時間０のフェムトｅＮＢ１１２からダウンリンク送信信号４１４を受信することができ、時間ＴＤＩＳＴでマクロｅＮＢ１１０からダウンリンク通信信号４１０を受信することもできる。それぞれｅＮＢｓ１１０及び１１２からのダウンリンク送信信号４１０及び４１４間の直交性は、その送信タイミングをマクロｅＮＢ１１０の送信タイミングと整合するフェムトｅＮＢ１１２によって維持されないかもしれない。
【００３３】
条件１を満たすために、フェムトｅＮＢ１１２は、マクロｅＮＢ１１０の送信タイミングに対してＴＤＩＳＴだけその送信タイミングを遅延させることができる。フェムトｅＮＢ１１２は、時間ＴＤＩＳＴでダウンリンク送信信号４１６を送ることができる。フェムトＵＥ１２２は、時間ＴＤＩＳＴでマクロｅＮＢ１１０からダウンリンク送信信号４１０だけでなくフェムトｅＮＢ１１２からダウンリンク送信信号４１６を受信することができる。ｅＮＢｓ１１０及び１１２からのダウンリンク送信信号４１０と４１４間の直交性は、その送信タイミングをマクロｅＮＢ１１０の送信タイミングに対してＴＤＩＳＴだけ進めるフェムトｅＮＢ１１２によって維持されるかもしれない。
【００３４】
フェムトＵＥ１２２はフェムトｅＮＢ１１２とフェムトＵＥ１２２間のごくわずかな伝播遅延の２倍であってもよいＴＤＩＳＴだけ遅延されたその送信タイミングを有することができる。この場合、フェムトＵＥ１２２が時間ＴＤＩＳＴでアップリンク送信信号４１８を送信すれば、そのとき、このアップリンク送信信号は時間ＴＤＩＳＴでフェムトｅＮＢ１１２によって受信されるであろう。フェムトｅＮＢ１１２からのダウンリンク送信信号及びフェムトＵＥ１２２からのアップリンク送信信号は、その後フェムトｅＮＢ１１２で時間調整されてもよい。しかし、フェムトｅＮＢ１１２は、時間−ＴＤＩＳＴでマクロＵＥ１２０からアップリンク送信信号４１２を受信することができる。それぞれＵＥｓ１２０及び１２２からのアップリンク送信信号４１２と４１８間の直交性は、フェムトｅＮＢ１１２の送信タイミングに調整されているフェムトＵＥ１２２の送信タイミングによって維持されることができない。
【００３５】
条件２を満たすために、フェムトＵＥ１２２は、フェムトｅＮＢ１１２の送信タイミングに対して−２ＴＤＩＳＴだけ進めされるその送信タイミングを有することができる。フェムトＵＥ１２２は、時間−ＴＤＩＳＴでアップリンク送信信号４２０を送ることができる。フェムトｅＮＢ１１２は、時間−ＴＤＩＳＴでマクロＵＥ１２０からアップリンク送信信号４１２だけでなくフェムトＵＥ１２２からアップリンク送信信号４２０を受信することができる。それぞれＵＥｓ１２０及び１２２からのアップリンク送信信号４１２と４２０間の直交性は、フェムトｅＮＢ１１２の送信タイミングに対して−２ＴＤＩＳＴだけ進められたその送信タイミングを有するフェムトＵＥ１２２によって維持されることができる。
【００３６】
条件３を満たすために−ＴＤＩＳＴからＴＤＩＳＴまでの時間間隔はガードインターバルとして定義されてもよい。このガードインターバルは以下に説明するようにダウンリンクサブフレームからアップリンクサブフレームへの切換えがあるときはいつでも使用することができる。
【００３７】
フェムトｅＮＢ１１２は、条件１を満たすために種々の方法でその送信タイミングを調整する（例えば、ＴＤＩＳＴだけその送信タイミングを遅延する）ことができる。フェムトｅＮＢ１１２は、また、条件２を満足するために種々の方法でフェムトＵＥ１２２の送信タイミングを調整する（例えば、２ＴＤＩＳＴだけ送信タイミングを進める）ことができる。
【００３８】
タイミング調整の第１の設計では、フェムトｅＮＢ１１２は、マクロｅＮＢ１１０からダウンリンク送信信号に基づいてＴＤＩＳＴを暗黙的に又は明確に決定することができる。フェムトｅＮＢ１１２は、例えば、マクロＵＥ１２０と同様な方法で、マクロｅＮＢ１１０からダウンリンク送信信号４１０を受信することができる。フェムトｅＮＢ１１２は、ダウンリンク送信信号４１０が時間ＴＤＩＳＴで受信されることを決定でき、それからマクロｅＮＢ１１０のための受信経路によって決定されるＴＤＩＳＴに等しいその送信タイミングを設定することができる。この設計では、マクロｅＮＢ１１０の送信タイミングが明確に決定されないかもしれなくとも、フェムトｅＮＢ１１２の送信タイミングはマクロｅＮＢ１１０の送信タイミングに対して進められてもよい。
【００３９】
第１の設計に対しては、フェムトｅＮＢ１１２は、ダウンリンク送信信号４１０が参照時間、例えばＧＰＳ時間に、マクロｅＮＢ１１０によって送られたと仮定してもよい。フェムトｅＮＢ１１２は、その後測定された受信時間及びダウンリンク送信信号４１０の推定送信時間に基づいてＴＤＩＳＴを計算することができる。フェムトｅＮＢ１１２は、その後参照時間からＴＤＩＳＴだけその送信タイミングを遅延させることができる。フェムトｅＮＢ１１２はまた、参照時間からＴＤＩＳＴだけフェムトＵＥ１２２の送信タイミングを進めることができ、この参照時間はフェムトｅＮＢ１１２の送信タイミングから２ＴＤＩＳＴの進みに等しいであろう。
【００４０】
第２の設計では、フェムトｅＮＢ１１２は、マクロＵＥ１２０からのアップリンク送信信号に基づいてＴＤＩＳＴを決定することができる。フェムトｅＮＢ１１２は、マクロＵＥ１２０からのアップリンク送信信号４１２を測定することができ、マクロＵＥ１２０及びフェムトｅＮＢ１１２との間で近接近のためにアップリンク送信信号４１２の送信時間にほぼ等しくなるかもしれないアップリンク送信信号４１２の受信時間を決定することができる。フェムトｅＮＢ１１２は、マクロＵＥ１２０の送信タイミングが参照時間に対してＴＤＩＳＴだけ進んでいたと仮定することができる。フェムトｅＮＢ１１２は、アップリンク送信信号４１２の受信時間と参照時間との差に基づいてＴＤＩＳＴを計算することができる。フェムトｅＮＢ１１２は、その後参照時間に対してＴＤＩＳＴだけその送信タイミングを遅延することができ、また、参照時間からＴＤＩＳＴだけフェムトＵＥ１２２の送信タイミングを進めることができる。
【００４１】
第３の設計では、フェムトｅＮＢ１１２は、位置情報に基づいてＴＤＩＳＴを決定することができる。フェムトｅＮＢ１１２は、例えば、ＧＰＳ位置決めを実行することによってその位置を求めることができる。フェムトｅＮＢ１１２は、また、例えば、ｅＮＢ１１０により放送され又は帰路を介して送信されるシステム情報からマクロｅＮＢ１１０の位置を求めることもできる。フェムトｅＮＢ１１２は、それらの既知の位置に基づいてｅＮＢｓ１１０と１１２の間の距離を計算することができ、計算された距離をＴＤＩＳＴの伝播遅延に変換することができる。フェムトｅＮＢ１１２は、マクロｅＮＢ１１０が参照時間にその送信タイミングを調整されたと仮定することができる。フェムトｅＮＢ１１２は、その後参照時間に対してＴＤＩＳＴだけその送信タイミングを遅延することができる。フェムトｅＮＢ１１２は、また、参照時間からＴＤＩＳＴだけフェムトＵＥ１２２の送信タイミングを進めることもできる。
【００４２】
第４の設計では、フェムトｅＮＢ１１２は、マクロｅＮＢ１１０との一方向測距（one-way ranging）に基づいてＴＤＩＳＴを決定することができる。フェムトｅＮＢ１１２は、（例えば、ＧＰＳ時間に整合される）既知の時間で送信信号をマクロｅＮＢ１１０に送ることができる。マクロｅＮＢ１１０は、フェムトｅＮＢ１１２から送信信号を受信することができ、測定された受信時間及びフェムトｅＮＢ１１２からの送信信号の既知の送信時間に基づいてＴＤＩＳＴの伝播遅延を測定することができる。マクロｅＮＢ１１０は、それからフェムトｅＮＢ１１２に測定された伝播遅延を有するメッセージを送ることができる。フェムトｅＮＢ１１２は、マクロｅＮＢ１１０からの測定された伝播遅延に基づいてフェムトＵＥ１２２の送信タイミングだけでなくその送信タイミングを調整することができる。
【００４３】
第５の設計では、フェムトｅＮＢ１１２は、マクロｅＮＢ１１０との二方向測距（two-way ranging）に基づいてＴＤＩＳＴを決定することができる。フェムトｅＮＢ１１２は送信信号をマクロｅＮＢ１１０に送信することができる。マクロｅＮＢ１１０は送信信号をフェムトｅＮＢ１１２に返送することができる。フェムトｅＮＢ１１２は、マクロｅＮＢ１１０からの返送送信信号の受信時間及びフェムトｅＮＢ１１２からの元の送信信号の送信時間に基づいて往復遅延（ＲＴＤ）を測定することができる。フェムトｅＮＢ１１２は、ＲＴＤの半分であるＴＤＩＳＴを計算することができる。フェムトｅＮＢ１１２は、それから計算されたＴＤＩＳＴに基づいてフェムトＵＥ１２２の送信タイミングだけでなくその送信タイミングを調整することができる。
【００４４】
第６の設計では、フェムトｅＮＢ１１２は、マクロｅＮＢ１１０とのＵＥ１２０又は１２２による測距に基づいてＴＤＩＳＴを決定することができる。ＵＥ１２０又は１２２は、（例えば、第４の設計に対して上述したように）マクロｅＮＢ１１０との一方向測距を実行することができ、一方向測距からＴＤＩＳＴを求めることができる。ＵＥ１２０又は１２２は、また、（例えば、第５の設計に対して上述したように）マクロｅＮＢ１１０との二方向測距を実行することができ、二方向測距からＲＴＤを求めることができる。ＵＥ１２０又は１２２は、それから測定されたＴＤＩＳＴ又はＲＴＤを（直接又は間接的に）フェムトｅＮＢ１１２に送信することができる。例えば、フェムトＵＥ１２２は、測定されたＴＤＩＳＴ又はＲＴＤをフェムトｅＮＢ１１２に直接に送信することができる。マクロＵＥ１２０は測定されたＴＤＩＳＴ又はＲＴＤをマクロｅＮＢ１１０に送信することができる。マクロｅＮＢ１１０はその後帰路を介して又は空中を介してフェムトｅＮＢ１１２に測定されたＴＤＩＳＴ又はＲＴＤを転送することができる。いずれにせよ、フェムトｅＮＢ１１２は、その送信タイミングを遅らすことができ、測定されたＴＤＩＳＴ又はＲＴＤに基づいてフェムトＵＥ１２２の送信タイミングを進めることができる。
【００４５】
マクロｅＮＢ１１０とのＵＥ１２０又は１２２による測距は、種々の方法で開始及び実行することができる。１つの設計では、フェムトｅＮＢ１１２は、マクロｅＮＢ１１０との測距を実行すること及びＴＤＩＳＴ又はＲＴＤをフェムトｅＮＢ１１２に送信することをＵＥ１２０又は１２２に要求することができる。他の設計では、フェムトｅＮＢ１１２は、例えば、帰路を介して又は空中を介してマクロｅＮＢ１１０と通信することができる。マクロｅＮＢ１１０は、それからマクロｅＮＢ１１０との測距を実行することをＵＥ１２０又は１２２に要求することができる。
【００４６】
第７の設計では、フェムトｅＮＢ１１２は、マクロｅＮＢ１１０によるＵＥ１２０又は１２２との測距に基づいてＴＤＩＳＴを決定することができる。マクロｅＮＢ１１０は、（例えば、第４の設計に対して上述したように）マクロＵＥ１２０との一方向測距を実行することができ、一方向測距からＴＤＩＳＴを求めることができる。マクロｅＮＢ１１０は、また、（例えば、第５の設計に対して上述したように）マクロＵＥ１２０との二方向測距を実行することができ、二方向測距からＲＴＤを求めることができる。マクロｅＮＢ１１０は、それから測定されたＴＤＩＳＴ又はＲＴＤを（直接又は間接的に）フェムトｅＮＢ１１２に送信することができる。フェムトｅＮＢ１１２は、それからその送信タイミングを遅らせることができ、測定されたＴＤＩＳＴ又はＲＴＤに基づいてフェムトＵＥ１２２の送信タイミングを進めることができる。
【００４７】
マクロｅＮＢ１１０による測距は、種々の方法で開始され、実行されることができる。１つの設計では、フェムトｅＮＢ１１２は、ＵＥ１２０又は１２２との測距を実行することをマクロｅＮＢ１１０に要求することができる。他の設計では、フェムトｅＮＢ１１２は、マクロｅＮＢ１１０にＵＥ１２０又は１２２との測距を実行するよう依頼することをＵＥ１２０又は１２２に要求することができる。
【００４８】
第８の設計では、フェムトｅＮＢ１１２は、粗い接近に基づいてＴＤＩＳＴを決定することができる。例えば、フェムトｅＮＢ１１２は、マクロｅＮＢ１１０のためのダウンリンク上の参照信号受信電力（ＲＳＲＰ）に基づいて、ＴＤＩＳＴの粗い推定値を求めることができる。マクロｅＮＢ１１０が基準信号のためのその送信電力に関する情報を放送するので、フェムトｅＮＢ１１２はフェムトｅＮＢ１１２で測定されるＲＳＲＰに、マクロｅＮＢ１１０の送信電力の比率として、信号伝播経路損失を推定することができる。推定された経路損失は、マクロｅＮＢ１１０とフェムトｅＮＢ１１２の間の距離を推定するために用いることができる。
【００４９】
フェムトｅＮＢ１１２は、また、他の方法でＴＤＩＳＴを決定することができる。１つの設計では、ＴＤＩＳＴはフェムトｅＮＢ１１２が電源投入されたときに決定することができ、フェムトｅＮＢ１１２の送信タイミングを調整するために用いることができる。ＴＤＩＳＴはフェムトｅＮＢ１１２に対してほとんど一定にすることができ、フェムトｅＮＢ１１２の送信タイミングはそれが一度適正に設定されるとあまり変えることができない。例えば、フェムトｅＮＢ１１２が以前の場所から十分に遠く離れているかもしれない新しい場所へ移動すれば、ＴＤＩＳＴは必要に応じて再び決定されることができる。
【００５０】
図５は、ＴＤＤの条件１及び２を満たすタイミング調整を伴うフェムトｅＮＢ１１２及びフェムトＵＥ１２２のタイミング図を示す。フェムトｅＮＢ１１２は参照時間に対してＴＤＩＳＴだけ遅れるその送信タイミングを有することができる。参照時間はＧＰＳ時間又はマクロｅＮＢ１１０の送信タイミング若しくは他の時間であってもよい。フェムトｅＮＢ１１２の観点からすると、サブフレーム１は時間Ｔ１Ｄで開始することができ、サブフレーム２は時間Ｔ２Ｄ、などで開始することができる。フェムトＵＥ１２２は、参照時間に対してＴＤＩＳＴだけ進むその送信タイミングを有することができる。フェムトＵＥ１２２の２の観点からすると、サブフレーム１は時間Ｔ１Ｕで開始することができ、サブフレーム２は時間Ｔ２Ｕ、などで開始することができる。時間Ｔ１Ｕは、２ＴＤＩＳＴだけ時間Ｔ１Ｄより早くてもよい。
【００５１】
フェムトｅＮＢ１１２は、ダウンリンク送信信号をサブフレーム１のフェムトＵＥ１２２に送信することができる。ダウンリンクからアップリンクへの切換は、サブフレーム１の後に生じてもよい。フェムトＵＥ１２２は、その後アップリンク通信信号をサブフレーム２のフェムトｅＮＢ１１２に送信することができる。アップリンク上のサブフレーム２は、時間Ｔ２Ｕから時間Ｔ２Ｄまでダウンリンク上のサブフレーム１に重なってもよい。ガードインターバルは、時間Ｔ２Ｕから時間Ｔ２Ｄまでに規定することができ、２ＴＤＩＳＴの継続期間を有することができる。フェムトＵＥ１２２は、フェムトｅＮＢ１１２からダウンリンク通信信号との干渉を避けるためにガードインターバルの期間での通信を避けることができる。一般に、ダウンリンクサブフレーム後の第１のアップリンクサブフレームは、ガードインターバルのために２ＴＤＩＳＴだけ減少されるかもしれない。
【００５２】
１つの設計では、ＴＤＩＳＴ，ＭＡＸがマクロｅＮＢ１１０のセルサイズに基づいて決定することができる場合には、参照時間を中心に−ＴＤＩＳＴ，ＭＡＸからＴＤＩＳＴ，ＭＡＸまでのガードインターバルが使用されることができる。この設計は、フェムトｅＮＢ１１２がマクロｅＮＢ１１０と関連して位置付される場所に関係なく、条件３及び４が満たされることができることを確実にすることができる。
【００５３】
１つの設計では、フェムトｅＮＢ１１２がマクロｅＮＢ１１０のサービスエリア内にあるときには、−ＴＤＩＳＴ，ＭＡＸからＴＤＩＳＴ，ＭＡＸまで、又は、−ＴＤＩＳＴからＴＤＩＳＴまでのガードインターバルが可能することができる。フェムトｅＮＢ１１２がマクロｅＮＢ１１０のサービスエリア内にないときには、ガードインターバルはより少ない値（例えばゼロ）に減少されるかもしれない。減少が必要でないときには、この設計はダウンリンクサブフレームに続くアップリンクサブフレームのサイズの減少を避けることができる。
【００５４】
フェムトＵＥ１２２の送信タイミングは、さまざまな方法で進めることができる。１つの設計では、フェムトＵＥ１２２は、フェムトｅＮＢ１１２によって進められるその送信タイミングを有することができる。フェムトＵＥ１２２がフェムトｅＮＢ１１２のサービスエリア内にあるときに、フェムトＵＥ１２２はランダムアクセスプローブを送ることができる。フェムトｅＮＢ１１２はフェムトＵＥ１２２からランダムアクセスプローブを受信することができ、ランダムアクセスプローブの受信時間基づきフェムトＵＥ１２２の現在の送信タイミングを決定することができる。フェムトｅＮＢ１１２は、フェムトｅＮＢ１１２の送信タイミングより早い２ＴＤＩＳＴであるフェムトＵＥ１２２の所望の送信タイミングを決定することができる。フェムトｅＮＢ１１２は、その後現在の送信タイミングとフェムトＵＥ１２２の所望の送信タイミングとの差に基づいてフェムトＵＥ１２２に対するタイミング調整を決定することができる。フェムトｅＮＢ１１２は、フェムトＵＥ１２２に対するタイミング調整と共にランダムアクセスレスポンスを送ることができる。フェムトｅＮＢ１１２は、また、周期的にフェムトＵＥ１２２の送信タイミングを周期的に（例えばＸ秒毎に）決定することができ、必要に応じてフェムトＵＥ１２２の送信タイミングを変更する（例えば、進める又は遅らせる）相対的コマンドを送信することができる。
【００５５】
フェムトＵＥ１２２の送信タイミングは、また、他の方法で調整されることができる。例えば、フェムトＵＥ１２２は、上記した設計のいずれかを使用して伝播遅延ＴＤＩＳＴを決定することができ、伝播遅延に基づいてその送信タイミングを設定することができる。フェムトＵＥ１２２は、また、マクロＵＥ１２０からのアップリンク送信信号を測定することができ、マクロＵＥ１２０からのアップリンク送信信号の受信時間に基づいてその送信タイミングを設定することができる。
【００５６】
フェムトｅＮＢ１１２は、ＴＲＥＱ＝ＴＤＩＳＴ＋ＴＭＡＲＧＩＮとして与えられることができるＴＲＥＱの同期必要条件を有することができる。但し、ＴＭＡＲＧＩＮは実施マージンであってもよい。フェムトｅＮＢ１１２の同期必要条件は、図５に示すように、ＴＤＩＳＴだけフェムトｅＮＢ１１２の送信タイミングを遅延させることによって満たすことができる。
【００５７】
図６は、ワイアレスネットワークの基地局／ｅＮＢのタイミング調整するための処理６００の設計を示す。処理６００は、基地局又は他のあるエンティティによって実行されてもよい。第１の基地局の存在は、第２の基地局（ブロック６１２）によって検出されてもよい。第２の基地局の送信タイミングは、第１の基地局（ブロック６１４）の送信タイミングに対して遅延されてもよい。
【００５８】
１つの設計では、第１及び第２の基地局のサービスエリア内に位置するＵＥは、識別されることができる。第２の基地局の送信タイミングは、ＵＥで第１及び第２の基地局からのダウンリンク信号を時間調整するために第１の基地局の送信タイミングに対して遅延されてもよい。他の設計では、第２の基地局のタイミングは第１の基地局のセルサイズ又は他のある量に対応する伝播遅延（例えばＴＤＩＳＴ，ＭＡＸ）に等しくてもよい所定の量だけ遅延されてもよい。
【００５９】
１つの設計では、第１の基地局はマクロ基地局であってもよく、第２の基地局はフェムト基地局であってもよい。ＵＥは、フェムト基地局と通信するフェムトＵＥ又はマクロ基地局と通信するマクロＵＥであってもよい。ＵＥは、マクロ基地局よりフェムト基地局に近く位置づけされてもよい。他の設計では、第１及び第２の基地局は、他のタイプの基地局であってもよい。例えば、第２の基地局は、ピコ基地局、中継局、などであってもよい。
【００６０】
図７は、図６のブロック６１４の設計を示す。第１の基地局と第２の基地局間の伝播遅延が、決定されてもよい（ブロック７１２）。第２の基地局の送信タイミングに対する遅延量は、伝播遅延に基づいて決定されてもよい（ブロック７１４）。第１の基地局の送信タイミングに使用される参照時間（例えばＧＰＳ時間）が決定されてもよい（ブロック７１６）。第２の基地局の送信タイミングは、その後参照時間から決定された遅延量だけ遅延されてもよい（ブロック７１８）。
【００６１】
ブロック７１２の１つの設計では、第１と第２の基地局間の伝播遅延は、第１の基地局の位置及び第２の基地局の位置に基づいて決定されてもよい。ブロック７１２の他の設計では、第１と第２の基地局間の伝播遅延は、第１と第２の基地局の間の測距に基づいて決定されてもよい。ブロック７１２のさらにもう１つの設計では、第１の基地局と第２の基地局のサービスエリア内のＵＥとの間の伝播遅延が、第１の基地局とＵＥの間の測距に基づいて決定されてもよい。伝播遅延は、また、他の方法で決定されてもよい。
【００６２】
図６を参照すると、ブロック６１４の他の設計では、第２の基地局は第１の基地局からダウンリンク送信信号を受信してもよい。第２の基地局は、それからその送信タイミングを決定することができる（例えば、位置合せはそうすることができるその送信タイミングために）第１の基地局からのダウンリンク送信信号の受信時間に基づいてその送信タイミングを決定してもよい（例えば、受信時間にその送信タイミングを調整してもよい）。
【００６３】
ブロック６１４のさらにもう１つの設計では、第２の基地局は、第１の基地局と通信しているＵＥからアップリンク送信信号を受信してもよい。ＵＥは、第１の基地局の送信タイミングに対して進んだその送信タイミングを有することができる。第２の基地局は、ＵＥからのアップリンク送信信号の受信時間及び参照時間に基づいてその送信タイミングを決定してもよい。
【００６４】
図８は、ワイアレスネットワークにおける基地局の送信タイミングを調整するための装置８００の設計を示す。装置８００は、第２の基地局によって第１の基地局の存在を検出するモジュール８１を含み、モジュール８１４は第１の基地局の送信タイミングに対して第２の基地局の送信タイミングを遅延する。
【００６５】
図９は、ワイアレスネットワークにおけるＵＥの送信タイミングを調整するための処理９００の設計を示す。処理９００は（以下に説明するような）第１の基地局によって又は他のエンティティによって実行されてもよい。第１の基地局は第１の基地局のサービスエリア内に位置する第１のＵＥを識別することができる（ブロック９１２）。第１の基地局は、第１のＵＥと第１の基地局間の伝播遅延の２倍より大きい量だけ第１の基地局の送信タイミングに対して第１のＵＥの送信タイミングを進めることができる。
【００６６】
１つの設計では、第１の基地局は、第１の基地局で第１のＵＥ及び第２のＵＥからのアップリンク信号を時間整合するために第１のＵＥの送信タイミングを進めることができる。第１のＵＥは第１の基地局と通信することができ、第２のＵＥは第２の基地局と通信することができる。第１の基地局はフェムト基地局であってもよく、第２の基地局はマクロ基地局であってもよい。第１及び第２のＵＥｓは、マクロ基地局よりフェムト基地局に近く位置してもよい。他の設計では、第１及び第２の基地局並びに第１及び第２のＵＥｓは、他のタイプの基地局及びＵＥｓであってもよい。
【００６７】
図１０は、図９のブロック９１４の設計を示す。第１の基地局は、例えば、上述した設計のいずれかに基づいて、第２の基地局と第１のＵＥ又は第２のＵＥ若しくは第１の基地局との間の第２の伝播遅延を決定することができる（ブロック１０１２）。第１の基地局は、第２の伝播遅延に基づいて、第１のＵＥの送信タイミングに対する進み量を決定することができる（ブロック１０１４）。第１の基地局は、第２の基地局の送信タイミングに使用される参照時間（例えばＧＰＳ時間）を決定することができる（ブロック１０１６）。第１の基地局は、その後参照時間からの決定された進み量だけ第１のＵＥの送信タイミングを進ませることができる（ブロック１０１８）。
【００６８】
図９を参照すると、ブロック９１４の他の設計では、第１の基地局は、第２のＵＥからアップリンク送信信号を受信することができる。第１の基地局は、その後、第２のＵＥからのアップリンク送信信号の受信時間に基づいて第１のＵＥの送信タイミングを決定することができる（例えば、第１のＵＥの送信タイミングを受信信号に整合することができる）。
【００６９】
１つの設計では、第１の基地局は、第１のＵＥからランダムアクセスプローブを受信することができ、ランダムアクセスプローブに基づいて第１のＵＥを識別することができる。第１の基地局は、第１の基地局で第１及び第２のＵＥｓからのアップリンク信号を時間整合するために第１のＵＥのタイミング調整を決定することができる。第１の基地局は、その後、例えば、ランダムアクセスプローブに応答してタイミング調整を第１のＵＥに送信することができる。
【００７０】
１つの設計では、第１の基地局は、例えば、第１及び第２のＵＥｓで、第１及び第２の基地局からのダウンリンク信号を時間整合するために、第２の基地局の送信タイミングに対してその送信タイミングを遅延させることができる（ブロック９１６）。第１の基地局の送信タイミングは特定の量だけ遅延することができ、第１のＵＥの送信タイミングは、例えば、図５に示すように第２の基地局の送信タイミングに対して同じ量だけ進めることができる。
【００７１】
１つの設計では、第１の基地局は、少なくとも、その送信タイミングと第１のＵＥの送信タイミングとの差のガードインターバルを決定することができる（ブロック９１８）。１つの設計では、ガードインターバルは所定の値（例えば、ＴＤＩＳＴ，ＭＡＸ）に設定することができる。所定値は第２の基地局のセルサイズに基づいて決定することができる。ガードインターバルが、例えば、図５に示すように、第１の基地局からダウンリンク送信信号に続いている第１のＵＥからのアップリンク送信信号に使用されてもよい（ブロック９２０）。
【００７２】
図１１は、ワイアレスネットワークのＵＥの送信タイミングを調整するための装置１１００の設計を示す。装置１１００は、第１の基地局のサービスエリア内に位置するＵＥを識別するモジュール１１１２と、ＵＥと第１の基地局との間の伝播遅延の2倍より大きい量だけ第１の基地局の送信タイミングを進ませるモジュール１１１４と、第２の基地局の送信タイミングに対して第１の基地局親族の送信タイミングを遅延させるモジュール１１１６と、少なくとも第１の基地局の送信タイミングとＵＥの送信タイミングとの差のガードインターバルを決定するモジュール１１１８と、第１の基地局からのダウンリンク送信信号に続いているＵＥからのアップリンク送信信号に対してガードインターバルを使用するモジュール１１２０と、を含む。
【００７３】
図１２は、無線ネットワークの通信のための処理１２００の設計を示す。処理１２００は（下記のように）第１のＵＥによって又は他のエンティティによって実行されてもよい。第１のＵＥは第１のＵＥと第１の基地局の間の伝播遅延の２倍より大きな量だけ第１の基地局の送信タイミングに対してその送信タイミング進めるためにイミング調整を受信することができる（ブロック１２１２）。第１のＵＥは、第１のＵＥの送信タイミングに基づいて、第１の基地局にアップリンク送信信号を送ることができる（ブロック１２１４）。
【００７４】
１つの設計では、第１のＵＥの送信タイミングは、第１の基地局で第１のＵＥ及び第２のＵＥからのアップリンク信号を時間整合ために進められてもよい。第１のＵＥは、第１の基地局及び第２の基地局のサービスエリア内に位置してもよい。１つの設計では、第１の基地局はフェムト基地局であってもよく、第２の基地局はマクロ基地局であってもよい。第１のＵＥはフェムト基地局と通信してもよく、第２のＵＥはマクロ基地局と通信してもよい。第１及び第２のＵＥｓは、マクロ基地局よりもフェムト基地局に近く位置してもよい。他の設計では、第１及び第２の基地局並びに第１及び第２のＵＥｓは、他のタイプの基地局及びＵＥｓであってもよい。
【００７５】
１つの設計では、第１のＵＥは、ランダムアクセスプローブを送ってもよく、ランダムアクセスプローブに応答して第１の基地局からタイミング調整を受信してもよい。タイミング調整は、また、他のいくらかの動作に応答して第１のＵＥに送信されることができる。
【００７６】
１つの設計では、第１の基地局は、第１のＵＥといかなる相互作用のなくタイミング調整を決定することができる。他の設計では、第１のＵＥは、第２の基地局と第１のＵＥ間の第２の伝播遅延を決定するために第２の基地局によって測距を実行することができる。第１のＵＥの送信タイミングは、それから第２の伝播遅延に基づいて決定される量だけ進めることができる。
【００７７】
図１３は、無線ネットワークの通信のための装置１３００の設計を示す。装置１３００は、ＵＥと基地局間の伝播遅延の２倍より大きい量だけ基地局の送信タイミングに対してＵＥの送信タイミングを進めるためタイミング調整を受信するモジュール１３１２及びＵＥの送信タイミングに基づいて、ＵＥから基地局へアップリンク送信信号を送信するモジュール１３１４を含む。
【００７８】
図８、１１及び１３のモジュールは、プロセッサ、電子装置、ハードウェア装置、電子コンポーネント、論理回路、メモリ、ソフトウェアコード、ファームウェアコード、など又はそれの任意の組合を含めることができる。
【００７９】
図１４は、図１及び３の基地局／ｅＮＢ１１２及びＵＥ１２２の設計のブロック図を示す。基地局１１２はＴ個のアンテナ１４３４ａ〜１４３４ｔを備えており、ＵＥ１２２は、中で一般の所で、Ｒ個のアンテナ１４５２ａ〜１４５２ｒを備えることができる。
【００８０】
基地局１１２で、送信プロセッサ１４２０は、データソース１４１２からの一つ以上のＵＥｓのためのデータを受信することができ、一つ以上の変調及び符号化方式に基づいてＵＥ毎にデータを処理する（例えば、コード化及び変調する）ことができ、データシンボルを全てのＵＥｓに対して提供することができる。送信プロセッサ１４２０は、また、コントローラ／プロセッサ１４４０から制御情報（例えばＵＥ１２２のタイミング調整）を受信することができ、制御情報を処理することができ、制御シンボルを提供することができる。送信プロセッサ１４２０は、また、基準信号又はパイロットのための参照シンボルを生成することができる。送信（ＴＸ）多入力多出力（ＭＩＭＯ）プロセッサ１４３０は、適用できるならば、データシンボル、制御シンボル及び／又は参照シンボルに空間処理（例えば、プレコーディング）を行うことができ、Ｔ個の変調器（ＭＯＤ）１４３２ａ〜１４３２ｔにＴ個の出力シンボルストリームを提供することができる。各モジュレータ１４３２は、出力サンプルストリームを得るために（例えば、ＯＦＤＭ、などのための）個別の出力シンボルストリームを処理することができる。各モジュレータ１４３２は、ダウンリンク信号を得るために更に出力されたサンプルストリームを処理する（例えば、アナログに変換し、増幅し、フィルタ処理し、アップコンバートする）ことができる。それぞれ、によるモジュレータ１４３２ａ〜１４３２ｔからのＴ個のダウンリンク信号は、Ｔ個のアンテナ１４３４ａ〜１４３４ｔを介してそれぞれ送信されてもよい。
【００８１】
ＵＥ１２２で、Ｒ個のアンテナ１４５２ａ〜１４５２ｒは、基地局１１２及びできる限り他の基地局からのダウンリンク信号を受信することができ、それぞれ、復調器（ＤＥＭＯＤ）１４５４ａ〜１４５４ｒに受信信号を提供することができる。各復調器１４５４は、受信サンプルを得るためにその受信信号を条件づける（例えば、フィルタ処理する、増幅する、ダウンコンバートする、デジタル化する）ことができ、受信シンボルを得るために（例えば、ＯＦＤＭ、などのための）受信サンプルを処理することができる。ＭＩＭＯ検出器１４６０は、Ｒ個全ての復調器１４５４ａ〜１４５４ｒからの受信シンボルに（適用可能なら）ＭＩＭＯ検出を行うことができ、検出シンボルを提供することができる。受信プロセッサ１４７０は検出シンボルを処理する（例えば、復調し、復号化する）、ＵＥ１２２のための復号化データをデータシンク１４７２に提供し、復号制御情報をコントローラ／プロセッサ１４９０に提供することができる。
【００８２】
アップリンクにおいて、ＵＥ１２２では、データソース１４７８からのデータ及びコントローラ／プロセッサ１４９０からの制御情報（例えば、ランダムアクセスプローブ）は、送信プロセッサ１４８０によって処理され、（適用可能なら）ＴＸミモウプロセッサ１４８２によってプレコードされ、変調器１４５４ａ〜１４５４ｒによって条件づけられ、アンテナ１４５２ａ〜１４５２ｒを介して送信されてもよい。基地局１１２では、ＵＥ１２２及び他のＵＥｓからのアップリンク信号はＵＥ１２２及びその他ＵＥｓによって送信されるデータ及び制御情報を得るためにアンテナ１４３４によって受信されてもよく、復調器１４３２によって条件づけられ、ＭＩＭＯ検出器１４３６によって検出され、受信プロセッサ１４３８によって処理されてもよい。プロセッサ１４３８は、回復データをデータシンク１４３９に提供でき、回復制御情報をコントローラ／プロセッサ１４４０に提供することができる。
【００８３】
コントローラ／プロセッサ１４４０及び１４９０は動作を基地局１１２及びＵＥ１２２にそれぞれ向けることができる。チャネルプロセッサ１４９４は、基地局からダウンリンク送信信号を受信することができ、ダウンリンク送信信号の受信時間を決定することができる。チャネルプロセッサ１４４６は、ＵＥｓ及びできる限り他の基地局からの送信信号を受信することができ、送信信号の受信時間を決定することができる。プロセッサ１４４０及び／又は他のプロセッサ並びに基地局１１２のモジュールが図６の処理６００、図７の処理６１４、図９の処理９００、図１０の処理９１４及び／又はここに記載されている技術のための他の処理を行う又は指揮する。プロセッサ１４９０及び他のプロセッサ並びにＵＥ１２２でのモジュールは図１２の処理１２００及び／又はここに記載されている技術のための他の処理を行う又は指示することができる。メモリ１４４２及び１４９２はそれぞれ基地局１１２及びＵＥ１２２のためにデータ及びプログラムコードを記憶することができる。スケジューラ１４４４は、ダウンリンク及び／又はアップリンクの送信信号のためのＵＥｓをスケジュールすることができ、スケジュールされたＵＥｓに資源を割当てることができる。
【００８４】
当業者は情報及び信号が様々な異なる技術及び技法のいずれかを使用して表されることができることを理解するであろう。例えば、データ、インストラクション、コマンド、情報、信号、ビット、シンボル及び上記の説明の全体にわたって参照されることができるチップは、電圧、電流、電磁波、磁場又は粒子、光場又は光子、若しくはそのいかなる組合せによっても表すことができる。
【００８５】
当業者は、種々の図示する論理的ブロック、モジュール、回路及びここの開示と関連して記載されているアルゴリズムステップが電子ハードウェア、コンピュータソフトウェア又は両方の組合せとして実行されることができることを更に理解するであろう。ハードウェア及びソフトウェアのこの互換性を明らかに示すために、種々の図示するコンポーネント、ブロック、モジュール、回路及びステップが、それらの機能性に関して一般的に上記に説明した。そのような機能がハードウェア又はソフトウェアとして実施されるかどうかは全体的なシステムに課せられた特定のアプリケーション及び設計制約に依存する。熟練者は特定のアプリケーション毎に変化する方法で説明した機能を実施することができるが、この種の実施の決定は本開示の範囲から逸脱するとして解釈されてはならない。
【００８６】
種々の図示する論理ブロック、モジュール及びこの開示と関連して記載されている回路は汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラム可能なロジック装置、離散的なゲート又はトランジスタロジック、離散的なハードウェアコンポーネント又はここに記載されている機能を実行するように設計されていたその任意の組合によって実施され又は実行されてもよい。汎用プロセッサはマイクロプロセッサであってもよいが、択一的に、プロセッサはいかなる一般的なプロセッサ、コントローラ、マイクロコントローラ又はステートマシーンであってもよい。プロセッサは、また、コンピュータ機器の組み合わせ、例えば、ＤＳＰとマイクロプロセッサ、複数のマイクロプロセッサ、ＤＳＰコアと関連した１以上のマイクロプロセッサの組合せとして実施されてもよい。
【００８７】
ここの開示と関連して説明された方法又はアルゴリズムのステップはハードウェアで直接に実施されてもよく、プロセッサによって実行されるソフトウェアモジュールで又は二つの組合せで実施されてもよい。
【００８８】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ又は任意の他の形態の公知技術の記憶媒体に存在してもよい。典型的な記憶媒体はプロセッサが情報を記憶媒体から読み込み、情報を書き込むことができるようにプロセッサに結合される。或いは、記憶媒体はプロセッサに一体化されてもよい。プロセッサ及び記憶媒体は、ＡＳＩＣに存在してもよい。ＡＳＩＣは、ユーザ端末に存在してもよい。択一的に、プロセッサ及び記憶媒体は、ユーザ端末の離散的なコンポーネントとして存在してもよい。
【００８９】
一つ以上の典型的な設計では、記載されている機能は、ハードウェア、ソフトウェア、ファームウェア又はそのいかなる組合せで実施されてもよい。ソフトウェアで実施される場合、機能は１つ以上のインストラクション又はコードとしてコンピュータ可読媒体に記憶され又は送信されてもよい。コンピュータ可読メディアは、１つの場所から他の場所にコンピュータプログラムの移転することを容易にするいかなる媒体も含んでいるコンピュータ記憶媒体及び通信媒体の両方を含む。記憶メディアは、汎用又は専用コンピュータによってアクセスされることができるいかなる利用可能メディアでもあってもよい。例えば、この例に限らないが、この種のコンピュータ可読媒体は、ＲＡＭ、ＲＯＭ、ＥＥＰＲＯＭ、ＣＤ−ＲＯＭ又はその他光学ディスク記憶装置、磁気ディスク記憶装置又はインストラクション又はデータ構造の形態で所望のプログラムコードを配送又は記憶するために使用でき、汎用又は専用コンピュータ又は汎用又は専用プロセッサによってアクセスできる他のいかなる媒体を含めることができる。また、いかなる接続も、適切にコンピュータ可読媒体と呼ばれる。例えば、ソフトウェアがウェブサイト、サーバ又は同軸ケーブル、光ファイバーケーブル、ツイストペア、デジタル加入者回線（ＤＳＬ）又は無線技術（例えば赤外線、ラジオ及びマイクロ波）を使用している他の遠隔ソースから送信される場合、同軸ケーブル、光ファイバーケーブル、ツイストペア、ＤＳＬ又は赤外線、ラジオ及びマイクロ波のような無線技術は媒体の定義に含まれる。ここに使用されているように、ディスク（ｄｉｓｋ）及びディスク（ｄｉｓｃ）はコンパクトディスク（ＣＤ）、レーザーディスク（登録商標）、光ディスク、デジタルバーサタイルディスク（ＤＶＤ）、フロッピー（登録商標）ディスク及びブルーレイディスクを含む。但し、ｄｉｓｋは通常ではデータを磁気的に再生紙、これに対してｄｉｓｃはレーザでデータを光学的に再生する。上記の組合せは、また、コンピュータ可読の媒体の範囲内で含まれるべきである。
【００９０】
開示の前の記述は、いかなる当業者も開示を製造し又は使用することを可能にするために提供される。開示に対する種々の変形例は当業者に直ちに明らかであり、本願明細書において定められる一般的な原理は開示の精神又は範囲を逸脱しないで他のバリエーションに適用されることができる。このように、開示は本願明細書において記載されている実施例及び設計に限定されることを意図していなくが、ここに開示された原理及び新規特徴と整合する最も広い範囲に従うべきである。
【図１】
2014039284.tif 000003
【図２】
2014039284.tif 000004
【図３】
2014039284.tif 000005
【図４】
2014039284.tif 000006
【図５】
2014039284.tif 000007
【図６】
2014039284.tif 000008
【図７】
2014039284.tif 000009
【図８】
2014039284.tif 000010
【図９】
2014039284.tif 000011
【図１０】
2014039284.tif 000012
【図１１】
2014039284.tif 000013
【図１２】
2014039284.tif 000014
【図１３】
2014039284.tif 000015
【図１４】
2014039284.tif 000016
【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
第１の基地局の存在を第２の基地局によって検出すること；前記第１の基地局の送信タイミングに対して前記第２の基地局の送信タイミングを遅延すること、
を含む、ワイアレス通信方法。
【請求項２】
前記第１の基地局はマクロ基地局であり、前記第２の基地局はフェムト基地局である、請求項１の方法。
【請求項３】
前記第１及び第２の基地局のサービスエリア内に位置するユーザ装置を識別することを更に含み、前記第２の基地局の前記送信タイミングが前記ＵＥで前記第１及び第２の基地局からのダウンリンクを時間調整するため前記第１の基地局の前記送信タイミングに対して遅延される、請求項１の方法。
【請求項４】
前記第２の基地局の前記第２の送信タイミングを遅延することは前記第２の基地局で前記第１の基地局からダウンリンク送信信号を受信すること、前記第２の基地局で前記第１の基地局からの前記ダウンリンク送信信号の受信時間に基づいて前記第２の基地局の前記送信タイミングを決定することを含む、請求項１の方法。
【請求項５】
前記第２の基地局の前記送信タイミングを遅延することは、前記第２の基地局でユーザ装置（ＵＥ）からアップリンク送信信号を受信すること、
前記ＵＥは、前記第１の基地局と通信し、前記ＵＥの送信タイミングは前記第１の基地局の前記送信タイミングに対して進められ、
前記第２の基地局の送信タイミングを決定することは第２の基地局で前記ＵＥからの前記アップリンク送信信号の受信時間に基づく、請求項１の方法。
【請求項６】
前記第２の基地局の前記送信タイミングを遅延することは前記第１と第２の基地局間の伝播遅延を決定すること、及び前記伝播遅延に基づいて前記第２の基地局の前記送信タイミングに対する遅延の量を決定することを含む、請求項１の方法。
【請求項７】
前記第２の基地局の前記送信タイミングを遅延することは更に前記第１の基地局の前記送信タイミングに使用される参照時間を決定すること、前記参照時間から前記決定された遅延の量だけ前記第２の基地局の前記送信タイミングを遅延することを含む、請求項６の方法。
【請求項８】
前記伝播遅延を決定することは前記第１の基地局の位置及び前記第２の基地局の位置に基づいて前記第１と第２の基地局間の前記伝播遅延を決定することを含む、請求項６の方法。
【請求項９】
前記伝播遅延を決定することは前記第１と第２の基地局間の測距に基づいて前記第１と第２の基地局間の前記伝播遅延を決定することを含む、請求項６の方法。
【請求項１０】
前記伝播遅延を決定することはユーザ装置（ＵＥ）と前記第１の基地局間の測距に基づいて前記第１と第２の基地局間の前記伝播遅延を決定することを含む、請求項６の方法。
【請求項１１】
第１の基地局の存在を第２の基地局によって検出する手段と、
前記第１の基地局の送信タイミングに対して前記第２の基地局の送信タイミングを遅延する手段と、
を具備する、ワイアレス通信装置。
【請求項１２】
前記第１及び第２の基地局のサービスエリア内に位置するユーザ装置を識別する手段を更に含み、前記第２の基地局の前記送信タイミングが前記ＵＥで前記第１及び第２の基地局からのダウンリンクを時間調整するため前記第１の基地局の前記送信タイミングに対して遅延される、請求項１１の装置。
【請求項１３】
前記第２の基地局の前記第２の送信タイミングを遅延する手段は前記第２の基地局で前記第１の基地局からダウンリンク送信信号を受信する手段と、前記第２の基地局で前記第１の基地局からの前記ダウンリンク送信信号の受信時間に基づいて前記第２の基地局の前記送信タイミングを決定する手段とを含む、請求項１１の装置。
【請求項１４】
前記第２の基地局の前記送信タイミングを遅延する手段は前記第１と第２の基地局間の伝播遅延を決定する手段及び前記伝播遅延に基づいて前記第２の基地局の前記送信タイミングに対する遅延の量を決定する手段を含む、請求項１１の装置。
【請求項１５】
前記第２の基地局の前記送信タイミングを遅延する手段は更に前記第１の基地局の前記送信タイミングに使用される参照時間を決定する手段と、前記参照時間から前記決定された遅延の量だけ前記第２の基地局の前記送信タイミングを遅延する手段とを含む、請求項１４の装置。
【請求項１６】
第１の基地局の存在を第２の基地局によって検出し、前記第１の基地局の送信タイミングに対して前記第２の基地局の送信タイミングを遅延するように構成される少なくとも１つのプロセッサを具備する、ワイアレス通信装置。
【請求項１７】
少なくとも１つのコンピュータに第１の基地局の存在を第２の基地局によって検出させるコードと、前記少なくとも１つのコンピュータに前記第１の基地局の送信タイミングに対して前記第２の基地局の送信タイミングを遅延させるコードを含む、コンピュータ可読媒体を具備するコンピュータプログラム製品。
【手続補正２】
【補正対象書類名】明細書
【補正対象項目名】００９０
【補正方法】変更
【補正の内容】
【００９０】
開示の前の記述は、いかなる当業者も開示を製造し又は使用することを可能にするために提供される。開示に対する種々の変形例は当業者に直ちに明らかであり、本願明細書において定められる一般的な原理は開示の精神又は範囲を逸脱しないで他のバリエーションに適用されることができる。このように、開示は本願明細書において記載されている実施例及び設計に限定されることを意図していなくが、ここに開示された原理及び新規特徴と整合する最も広い範囲に従うべきである。
以下に本件出願当初の特許請求の範囲に記載された発明を付記する。
［１］  第１の基地局の存在を第２の基地局によって検出すること、前記第１の基地局の送信タイミングに対して前記第２の基地局の送信タイミングを遅延すること、を含む、ワイアレス通信方法。
［２］  前記第１の基地局はマクロ基地局であり、前記第２の基地局はフェムト基地局である、［１］の方法。
［３］  前記第１及び第２の基地局のサービスエリア内に位置するユーザ装置を識別することを更に含み、前記第２の基地局の前記送信タイミングが前記ＵＥで前記第１及び第２の基地局からのダウンリンクを時間調整するため前記第１の基地局の前記送信タイミングに対して遅延される、［１］の方法。
［４］  前記第２の基地局の前記第２の送信タイミングを遅延することは前記第２の基地局で前記第１の基地局からダウンリンク送信信号を受信すること、前記第２の基地局で前記第１の基地局からの前記ダウンリンク送信信号の受信時間に基づいて前記第２の基地局の前記送信タイミングを決定することを含む、［１］の方法。
［５］  前記第２の基地局の前記送信タイミングを遅延することは、前記第２の基地局でユーザ装置（ＵＥ）からアップリンク送信信号を受信すること］前記ＵＥは、前記第１の基地局と通信し、前記ＵＥの送信タイミングは前記第１の基地局の前記送信タイミングに対して進められ］前記第２の基地局の送信タイミングを決定することは第２の基地局で前記ＵＥからの前記アップリンク送信信号の受信時間に基づく、［１］の方法。
［６］  前記第２の基地局の前記送信タイミングを遅延することは前記第１と第２の基地局間の伝播遅延を決定すること、及び前記伝播遅延に基づいて前記第２の基地局の前記送信タイミングに対する遅延の量を決定することを含む、［１］の方法。
［７］  前記第２の基地局の前記送信タイミングを遅延することは更に前記第１の基地局の前記送信タイミングに使用される参照時間を決定すること、前記参照時間から前記決定された遅延の量だけ前記第２の基地局の前記送信タイミングを遅延することを含む、［６］の方法。
［８］  前記伝播遅延を決定することは前記第１の基地局の位置及び前記第２の基地局の位置に基づいて前記第１と第２の基地局間の前記伝播遅延を決定することを含む、［６］の方法。
［９］  前記伝播遅延を決定することは前記第１と第２の基地局間の測距に基づいて前記第１と第２の基地局間の前記伝播遅延を決定することを含む、［６］の方法。
［１０］  前記伝播遅延を決定することはユーザ装置（ＵＥ）と前記第１の基地局間の測距に基づいて前記第１と第２の基地局間の前記伝播遅延を決定することを含む、［６］の方法。
［１１］  第１の基地局の存在を第２の基地局によって検出する手段と］前記第１の基地局の送信タイミングに対して前記第２の基地局の送信タイミングを遅延する手段と］を具備する、ワイアレス通信装置。
［１２］  前記第１及び第２の基地局のサービスエリア内に位置するユーザ装置を識別する手段を更に含み、前記第２の基地局の前記送信タイミングが前記ＵＥで前記第１及び第２の基地局からのダウンリンクを時間調整するため前記第１の基地局の前記送信タイミングに対して遅延される、［１１］の装置。
［１３］  前記第２の基地局の前記第２の送信タイミングを遅延する手段は前記第２の基地局で前記第１の基地局からダウンリンク送信信号を受信する手段と、前記第２の基地局で前記第１の基地局からの前記ダウンリンク送信信号の受信時間に基づいて前記第２の基地局の前記送信タイミングを決定する手段とを含む、［１１］の装置。
［１４］  前記第２の基地局の前記送信タイミングを遅延する手段は前記第１と第２の基地局間の伝播遅延を決定する手段及び前記伝播遅延に基づいて前記第２の基地局の前記送信タイミングに対する遅延の量を決定する手段を含む、［１１］の装置。
［１５］  前記第２の基地局の前記送信タイミングを遅延する手段は更に前記第１の基地局の前記送信タイミングに使用される参照時間を決定する手段と、前記参照時間から前記決定された遅延の量だけ前記第２の基地局の前記送信タイミングを遅延する手段とを含む、［１４］の装置。
［１６］  第１の基地局の存在を第２の基地局によって検出し、前記第１の基地局の送信タイミングに対して前記第２の基地局の送信タイミングを遅延するように構成される少なくとも１つのプロセッサを具備する、ワイアレス通信装置。
［１７］  少なくとも１つのコンピュータに第１の基地局の存在を第２の基地局によって検出させるコードと、前記少なくとも１つのコンピュータに前記第１の基地局の送信タイミングに対して前記第２の基地局の送信タイミングを遅延させるコードを含む、コンピュータ可読媒体を具備するコンピュータプログラム製品。
［１８］  第１の基地局のサービスエリア内に位置する第１のユーザ装置（ＵＥ）を識別すること］前記第１のＵＥと前記第１の基地局間の伝播遅延の２倍より大きい量だけ前記第１の基地局の送信タイミングに対して前記ＵＥの送信タイミングを進めること、を含む、ワイアレス通信方法。
［１９］  前記第１のＵＥの前記送信タイミングを進めることは前記第１の基地局で前記第１のＵＥ及び第２のＵＥからのアップリンク信号を時間調整するために前記第１のＵＥの前記送信タイミングを進めることを含み、前記第２のＵＥは第２の基地局と通信する、［１８］の方法。
［２０］  前記第１の基地局はフェムト基地局であり、前記第２の基地局はマクロ基地局であり、前記第１のＵＥは前記フェムト基地局と通信する、［１９］の方法。
［２１］  第１のＵＥの前記送信タイミングを進めることは、前記第２の基地局と前記第１のＵＥ又は前記第２のＵＥ若しくは前記第１の基地局との間の第２の伝播遅延を決定すること、及び前記第２の伝播遅延に基づいて前記第１のＵＥの前記送信タイミングに対する進み量を決定することを含む、［１９］の方法。
［２２］  前記第１のＵＥの前記送信タイミングを進めることは、前記第１の基地局で前記第２のＵＥからアップリンク送信信号を受信すること、前記第１の基地局で前記第２のＵＥからの前記アップリンク送信信号の受信時間に基づいて前記第１のＵＥの前記送信タイミングを決定することを含む、［１９］の方法。
［２３］  前記第１のＵＥの前記送信タイミングを進めることは、前記第１の基地局で前記第１及び第２のＵＥからの前記アップリンク信号を時間整合するために前記第１のＵＥに対するタイミング調整を決定すること、前記第１のＵＥに前記タイミング調整を送信することを含む、［１９］の方法。
［２４］  前記第１のＵＥを識別することは前記第１の基地局で前記第１のＵＥからランダムアクセスプローブを受信することを含み、前記タイミング調整が、前記ランダムアクセスプローブに応答して決定され、前記第１のＵＥに送信される、［２３］の方法。
［２５］  前記第１の基地局の前記送信タイミングを第２の基地局の送信タイミングに対して遅延すること、を更に含む、［１８］の方法。
［２６］  前記第１の基地局の前記送信タイミングは特定量だけ遅延され、前記第１のＵＥの前記送信タイミングは前記第２の基地局の前記送信タイミングに対して前記特定量だけ進められる、［２５］の方法。
［２７］  少なくとも前記第１の基地局の前記送信タイミングと前記第１のＵＥの前記送信タイミングとの差のガードインターバルを決定すること、前記第１の基地局からのダウンリンク送信信号に続いている前記第１のＵＥからのアップリンク送信信号のためのガードインターバルを使用すること、を更に含む、［１８］の方法。
［２８］  前記ガードインターバルは第２の基地局のセルサイズに基づいて決定される値に設定される、［２７］の方法。
［２９］  第１の基地局のサービスエリア内に位置する第１のユーザ装置（ＵＥ）を識別する手段と、前記第１のＵＥと前記第１の基地局間の伝播遅延の２倍より大きい量だけ前記第１の基地局の送信タイミングに対して前記第１のＵＥの送信タイミングを進める手段と、を含む、ワイアレス通信装置。
［３０］  前記第１のＵＥの前記送信タイミングを進める手段は前記第１の基地局で前記第１のＵＥ及び第２のＵＥからのアップリンク信号を時間調整するために前記第１のＵＥの前記送信タイミングを進める手段を含み、前記第２のＵＥは第２の基地局と通信する、［２９］の装置。
［３１］  前記第１のＵＥの前記送信タイミングを進める手段は、前記第２の基地局と前記第１のＵＥ又は前記第２のＵＥ若しくは前記第１の基地局との間の第２の伝播遅延を決定する手段と、前記第２の伝播遅延に基づいて前記第１のＵＥの前記送信タイミングに対する進み量を決定する手段とを含む、［３０］の方法。
［３２］  前記第１のＵＥの前記送信タイミングを進める手段は、前記第１の基地局で前記第２のＵＥからアップリンク送信信号を受信する手段と、前記第１の基地局で前記第２のＵＥからの前記アップリンク送信信号の受信時間に基づいて前記第１のＵＥの前記送信タイミングを決定する手段とを含む、［３０］の装置。
［３３］  前記第１のＵＥの前記送信タイミングを進める手段は、前記第１の基地局で前記第１及び第２のＵＥｓからの前記アップリンク信号を時間整合するために前記第１のＵＥに対するタイミング調整を決定する手段と、前記第１のＵＥに前記タイミング調整を送信する手段とを含む、［３０］の装置。
［３４］  前記第２の基地局の送信タイミングに対して前記第１の基地局の送信タイミングを遅延する手段を更に含む、［３０］の装置。
［３５］  少なくとも前記第１の基地局の前記送信タイミングと前記第１のＵＥの前記送信タイミングとの差のガードインターバルを決定する手段と、前記第１の基地局からのダウンリンク送信信号に続いている前記第１のＵＥからのアップリンク送信信号のためのガードインターバルを使用する手段と、を更に含む、［２９］の装置。
［３６］  基地局のサービスエリア内に位置するユーザ装置（ＵＥ）を識別し、前記ＵＥと前記基地局間の伝播遅延の２倍より大きい量だけ基地局の送信タイミングに対して前記ＵＥの送信タイミングを進めるように構成される少なくとも１つのプロセッサを具備する、ワイアレス通信装置。
［３７］  少なくとも１つのコンピュータに基地局のサービスエリア内に位置するユーザ装置（ＵＥ）を識別させるためのコードと、前記少なくとも１つのコンピュータに前記ＵＥと前記基地局との間の伝播遅延の２倍より大きい量だけ前記基地局の送信タイミングに対して前記ＵＥの送信タイミングを進めさせるためのコードを含む、コンピュータ可読媒体を具備する、コンピュータプログラム製品。
［３８］  前記第１のＵＥと前記第１の基地局間の伝播遅延の２倍より大きい量だけ前記第１の基地局の送信タイミングに対して第１のユーザ装置（ＵＥ）の送信タイミングを進めるタイミング調整を受信すること］前記第１のＵＥの前記送信タイミングに基づいて前記第１のＵＥから前記第１の基地局へアップリンク送信信号を送信すること、を含む、ワイアレス通信方法。
［３９］  前記第１のＵＥからランダムアクセスプローブを送ること、前記ランダムアクセスプローブに応答して前記第１の基地局から前記タイミング調整を受信すること、を更に含む［３８］の方法。
［４０］  前記第１のＵＥの前記送信タイミングは前記第１の基地局で前記第１のＵＥ及び第２のＵＥからのアップリンク信号を時間調整するために進められ、前記第１のＵＥは前記第１の基地局及び第２の基地局のサービスエリア内に位置され、前記第２のＵＥは前記第２の基地局と通信する、［３８］の方法。
［４１］  前記第２の基地局と前記第１のＵＥ間の第２の伝播遅延を決定するために前記第１のＵＥと前記第２の基地局との間の測距を実行することを更に含み、前記第１のＵＥの前記送信タイミングは前記第２の伝播遅延に基づいて決定される量だけ進められる、［４０］の方法。
［４２］  前記第１のＵＥと前記第１の基地局間の伝播遅延の２倍より大きい量だけ第１の基地局の送信タイミングに対して第１のユーザ装置（ＵＥ）の送信タイミングを進めるタイミング調整を受信する手段と、前記第１のＵＥの前記送信タイミングに基づいて、前記第１のＵＥから前記第１の基地局へアップリンク送信信号を送信する手段と、を具備する、ワイアレス通信装置。
［４３］  前記第１のＵＥからランダムアクセスプローブを送る手段と、前記ランダムアクセス調査に応答して前記第１の基地局から前記タイミング調整を受信する手段と、を更に含む、［４２］の装置。
［４４］  前記第１のＵＥの前記送信タイミングは前記第１の基地局で前記第１のＵＥ及び第２のＵＥからのアップリンク信号を時間調整するために進められ、前記第１のＵＥは前記第１の基地局及び第２の基地局のサービスエリア内に位置され、前記第２のＵＥは第２の基地局と通信する、［４２］の装置。
［４５］  前記第２の基地局と前記第１のＵＥ間の第２の伝播遅延を決定するために前記第１のＵＥと前記第２の基地局との間の測距を実行する手段を更に含み、前記第１のＵＥの前記送信タイミングは前記第２の伝播遅延に基づいて決定される量だけ進められる、［４４］の装置。
［４６］  前記ＵＥと前記基地局間の伝播遅延の２倍より大きい量だけ基地局の送信タイミングに対してユーザ装置（ＵＥ）の送信タイミングを進めるタイミング調整を受信し、前記ＵＥの前記送信タイミングに基づいて前記ＵＥから前記基地局にアップリンク送信信号を送るように構成される少なくとも１つのプロセッサを具備する、ワイアレス通信装置。
［４７］  少なくとも１つのコンピュータにＵＥと基地局の間の伝播遅延の２倍より大きい量だけ前記基地局の送信タイミングに対してユーザ装置（ＵＥ）の送信タイミングを進めるタイミング調整を受信させるためのコードと、前記少なくとも１つのコンピュータに前記ＵＥの前記送信タイミングに基づいて前記ＵＥから前記基地局へアップリンク送信信号を送らせるためのコードとを含むコンピュータ可読媒体を具備する、コンピュータプログラム製品。
【外国語明細書】
2014039284000001.pdf